(57)【要約】      （修正有）【課題】睡眠関係情報を検出する健康又は医療デバイスを提供する。【解決手段】睡眠段階モニタ１００は、体動及び／又は呼吸運動に関するセンサデータ信号にアクセスすることができ、検出信号の少なくとも一部を解析して呼吸変動を計算することができる。呼吸変動は、呼吸数の変動及び呼吸振幅の変動のうちの１つ又は複数を含む。プロセッサは、呼吸変動及び体動の両方の組合せによる等、呼吸変動及び体動のうちの１つ又は複数に基づき、睡眠段階を決定する。睡眠段階の決定により、深い睡眠と他の睡眠段階とを識別することもできるし、深い睡眠、浅い睡眠及びレム睡眠を識別することもできる。体動及び呼吸運動信号を、非侵襲的センサ（例えば、非接触無線周波数動きセンサ又は感圧マットレス）等の１つ又は複数のセンサから導出することもできる。【選択図】図７
2020171797.tif 000002
【特許請求の範囲】
【請求項１】
被験者の睡眠段階を分類する方法であって、
プロセッサを使用して、
前記被験者の呼吸運動に関連する１つ又は複数の検出信号にアクセスし、
前記検出信号の少なくとも一部を解析して、呼吸数の変動及び呼吸振幅の変動のうちの
１つ又は複数を含む呼吸変動を計算し、
前記呼吸変動に基づいて睡眠段階を決定する、
ステップ、
を含む、方法。
【請求項２】
前記被験者の非呼吸運動を解析して前記睡眠段階を分類するステップを更に含む、請求
項１に記載の方法。
【請求項３】
１つ又は複数のセンサを使用して、前記被験者の呼吸運動、前記被験者の非呼吸運動、
又はその両方に関する１つ又は複数の信号を検出するステップ、
を更に含む、請求項１又は２に記載の方法。
【請求項４】
前記１つ又は複数の信号のうちの少なくとも１つの検出は、非接触式に行われる、請求
項１乃至３のいずれか一項に記載の方法。
【請求項５】
前記被験者の体動に関連する検出信号にアクセスするステップと、前記呼吸変動を前記
体動と結合して前記睡眠段階を決定するステップと、を更に含む、請求項１乃至４のいず
れか一項に記載の方法。
【請求項６】
前記決定は、深い睡眠のエポックを、睡眠又は覚醒の他のエポックから区別するように
識別するステップを含む、請求項１乃至５のいずれか一項に記載の方法。
【請求項７】
プロセッサにより、人の存在又は不在を検出するステップを含む、請求項１乃至６のい
ずれか一項に記載の方法。
【請求項８】
前記決定は睡眠段階計算を含み、該睡眠段階計算の睡眠段階出力は睡眠又は覚醒のみで
ある、請求項１乃至７のいずれか一項に記載の方法。
【請求項９】
前記検出信号は、前記被験者の呼吸数又は該被験者の呼吸振幅を推定するように処理さ
れる、請求項１乃至８のいずれか一項に記載の方法。
【請求項１０】
前記検出信号は、呼吸数又は前記被験者の呼吸振幅を推定するように処理される、請求
項１乃至９のいずれか一項に記載の方法。
【請求項１１】
呼吸数の推定は、エポックごとに行われる、請求項１乃至１０のいずれか一項に記載の
方法。
【請求項１２】
前記解析は、測定された呼吸信号の振幅の変動と振幅閾値との比較に応じて、呼吸安定
閾値を設定するステップを含む、請求項１乃至１１のいずれか一項に記載の方法。
【請求項１３】
前記解析は、測定された呼吸数信号の変動と閾値との比較に応じて、呼吸数安定閾値を
設定するステップを含む、請求項１乃至１２のいずれか一項に記載の方法。
【請求項１４】
前記解析は、複数のエポックの各々に対して、該それぞれのエポックの各々の前記呼吸
数の最小値及び最大値に基づいて、呼吸数範囲を計算するステップを含む、請求項１乃至
１３のいずれか一項に記載の方法。
【請求項１５】
前記エポックに対して前記計算された呼吸範囲を選択された安定閾値と比較するステッ
プと、
前記計算された呼吸範囲が、設定された安定閾値より小さい場合は、前記エポックを深
い睡眠として分類し、そうでない場合は、該エポックを浅い睡眠として分類するステップ
と、
を更に含む、請求項１４に記載の方法。
【請求項１６】
プロセッサにより、浅い睡眠エポックに遭遇した場合に、以前の深い睡眠エポックのシ
ーケンス長をカウントするステップと、最後の浅い睡眠エポック以後に遭遇した深い睡眠
エポックの先行するエポックの数が、所定数未満である場合に、これらのエポックを浅い
睡眠として再分類するステップと、を更に含む、請求項１５に記載の方法。
【請求項１７】
前記所定数は５である、請求項１６に記載の方法。
【請求項１８】
睡眠の期間を、該期間中の前記呼吸数の変動に基づいて、深い睡眠又はレム睡眠のいず
れかとして分類するステップを含む、請求項１乃至１７のいずれか一項に記載の方法。
【請求項１９】
期間を、該期間に対するスペクトル解析及び近似エントロピー解析から導出される特徴
の組合せが閾値よりそれぞれ小さいか又は大きいかに基づいて、深い睡眠期間又はレム睡
眠期間のいずれかとして分類するステップを含む、請求項１乃至１８のいずれか一項に記
載の方法。
【請求項２０】
非接触無線周波数ベースのセンサが使用され、前記解析は、送信機の位相空間において
９０°離れた位置から観察される検出された動きを表す直交信号Ｉ及びＱを提供する、請
求項１乃至１９のいずれか一項に記載の方法。
【請求項２１】
前記解析は、呼吸数変動及び呼吸振幅変動を用いて睡眠段階を決定する、請求項１乃至
２０のいずれか一項に記載の方法。
【請求項２２】
前記解析は、前記呼吸数及び振幅の変動を用いてレム睡眠を区別し、前記呼吸数の相対
的に高い変動の期間はレム睡眠期間の指示としてみなされ、前記呼吸数の相対的に低い変
動の期間は、深い睡眠の状態に関連するものとしてみなされる、請求項２１に記載の方法
。
【請求項２３】
前記解析は、時系列の変動を評価するステップを含み、該評価するステップは、予測可
能な時系列に対して相対的に低い値を想定し、時間系列がより可変になるほど相対的に高
い値を想定する近似エントロピーを用いる、請求項２１又は２２に記載の方法。
【請求項２４】
前記解析は連続した呼吸数及び呼吸振幅推定値を提供し、その後、該呼吸数はセグメン
トで２つの処理ブロックに供給され、そこではブロックは、前記信号のそのセグメントの
近似エントロピーであるエポックに対する単一の数を出力する、請求項２２に記載の方法
。
【請求項２５】
プロセッサにより、センサによる前記被験者の体動及び呼吸運動に関連する前記１つ又
は複数の信号の検出を制御するステップを更に含む、請求項１乃至２４のいずれか一項に
記載の方法。
【請求項２６】
プロセッサにより、前記決定した睡眠段階に基づいて呼吸治療を制御するステップを更
に含む、請求項１乃至２５のいずれか一項に記載の方法。
【請求項２７】
被験者の睡眠段階を分類するシステムであって、
体動及び呼吸関連運動に関連する１つ又は複数の信号を検出するように構成された１つ
又は複数のセンサと、
前記検出された信号の少なくとも一部を解析して、呼吸数の変動及び呼吸振幅の変動の
うちの１つ又は複数を含む呼吸変動を計算し、前記呼吸変動を前記体動検出と結合して睡
眠段階を決定するように構成されたプロセッサと、
を具備する、システム。
【請求項２８】
前記１つ又は複数のセンサのうちの少なくとも１つは非接触センサである、請求項２７
に記載のシステム。
【請求項２９】
前記少なくとも１つの非接触センサは無線周波数ベースのセンサである、請求項２８に
記載のシステム。
【請求項３０】
該少なくとも１つの非接触無線センサは距離ゲート式である、請求項２９に記載のシス
テム。
【請求項３１】
呼吸治療装置を更に具備するシステムであって、該呼吸治療装置は、患者インタフェー
スに結合するように適合された流れ発生器と、該流れ発生器の治療動作を設定するように
構成されたコントローラと、を備え、該コントローラは、前記プロセッサと通信し、前記
決定した呼吸段階に部分的に基づいて、治療圧力を制御するように構成されている、請求
項２７乃至３０のいずれか一項に記載のシステム。
【請求項３２】
プロセッサによって実行される場合に、請求項１乃至２６のいずれか一項に記載の方法
をプロセッサが実行するのを可能にするように、プロセッサ制御命令が符号化されている
コンピュータ可読媒体。
【請求項３３】
被験者の睡眠段階を分類する装置のプロセッサの方法であって、
前記被験者の体動及び呼吸運動に関連する複数の信号にアクセスするステップと、
処理するために前記複数の信号のうちの１つを選択するステップと、
前記選択された信号をウェーブレット変換によって処理するステップと、
前記変換された信号に対応するマスクを生成するステップと、
前記マスクに従って、前記変換された信号から特徴を抽出するステップと、
該抽出された特徴に基づいて睡眠段階を分類するステップと、
を含む、方法。
【請求項３４】
前記プロセッサは、最大帯域内呼吸パワーを検出することによって、前記複数の信号の
うちの１つを選択する、請求項３３に記載の方法。
【請求項３５】
前記プロセッサにより、前記変換された信号から呼吸統計量を抽出するステップを更に
含み、前記睡眠段階を分類するステップは、前記呼吸統計量に更に基づく、請求項３３又
は３４に記載の方法。
【請求項３６】
前記呼吸統計量は、呼吸間隔の平均、呼吸振幅の平均、呼吸間隔の変動、及び呼吸振幅
の変動のうちの１つ又は複数を更に含む、請求項３５に記載の方法。
【請求項３７】
前記抽出された特徴は、呼吸帯域のすぐ上の最高ウェーブレット詳細におけるパワー、
及び近似係数におけるパワーのうちの１つ又は複数を含む、請求項３３乃至３６のいずれ
か一項に記載の方法。
【請求項３８】
前記生成されたマスクは、前記変換された信号の特定部分に対するノイズを示す、請求
項３３又は３４に記載の方法。
【請求項３９】
前記生成されたマスクは、前記変換された信号のバイナリマップである、請求項３８に
記載の方法。
【請求項４０】
前記分類するステップは、線形判別解析を含む、請求項３３乃至３９のいずれか一項に
記載の方法。
【請求項４１】
分類された睡眠段階のパターンを検出するステップと、該検出されたパターンに基づい
て誤った分類を補正するステップと、を更に含む、請求項３３乃至４０のいずれか一項に
記載の方法。
【請求項４２】
分類された睡眠段階を表示するステップを更に含み、該睡眠段階は、一連の覚醒段階、
浅い睡眠段階、深い睡眠段階、及びレム睡眠段階のうちの１つ又は複数を含む、請求項３
３乃至４１のいずれか一項に記載の方法。
【請求項４３】
被験者の睡眠段階を分類するシステムであって、
体動及び呼吸関連運動に関連する複数の信号を検出するように構成された１つ又は複数
のセンサと、
プロセッサであって、前記複数の信号を処理し、該複数の信号のうちの１つを処理のた
めに選択し、該選択された信号をウェーブレット変換によって処理し、前記変換された信
号に対応するマスクを生成し、該マスクに従って前記変換された信号から特徴を抽出し、
該抽出された特徴に基づいて睡眠段階を分類するように構成されたプロセッサと、
を具備する、システム。
【請求項４４】
前記１つ又は複数のセンサのうちの少なくとも１つは非接触センサである、請求項４３
に記載のシステム。
【請求項４５】
前記少なくとも１つの非接触センサは無線周波数ベースのセンサである、請求項４４に
記載のシステム。
【請求項４６】
前記少なくとも１つの非接触無線周波数ベースのセンサは距離ゲート式である、請求項
４５に記載のシステム。
【請求項４７】
呼吸治療装置を更に具備するシステムであって、該呼吸治療装置は、患者インタフェー
スに結合するように適合された流れ発生器と、該流れ発生器の治療動作を設定するように
構成されたコントローラと、を備え、該コントローラは、前記プロセッサと通信し、前記
決定した呼吸段階に部分的に基づいて、治療圧力を制御するように構成される、請求項４
３乃至４６のいずれか一項に記載のシステム。
【請求項４８】
プロセッサによって実行される場合に、請求項３３乃至４２のいずれか一項に記載の方
法をプロセッサが実行するのを可能にするように、プロセッサ制御命令が符号化されてい
るコンピュータ可読媒体。
【発明の詳細な説明】
【技術分野】
【０００１】
（関連出願の相互参照）
本出願は、２０１２年９月１９日に出願されたアイルランド国仮特許出願第２０１２／
０４０９号の出願日の利益を主張し、その開示内容は、参照することによって本明細書の
一部をなすものとする。
【０００２】
本技術は、呼吸信号及び動き信号を用いる等、人の睡眠段階を決定することに関し、例
えば、睡眠構築又は睡眠の質の評価において有用である場合がある。本技術を、呼吸障害
を診断し、治療し、改善するデバイスとともに、呼吸障害を防止する処置に対して実施す
ることができる。したがって、本技術は、呼吸障害を治療し、呼吸障害を防止する医療デ
バイス及びそれらの使用に関することができる。
【背景技術】
【０００３】
身体の呼吸器系は、ガス交換を容易にしている。鼻及び口は、患者の気道への入口を形
成する。
【０００４】
気道は、一連の分岐する管を備え、これらの管は、肺の中に深く入り込むにつれて、よ
り細く、より短く、かつより多くなっていく。肺の最も重要な機能は、酸素が空気から静
脈血内に移動することを可能にするとともに二酸化炭素が排出することを可能にするガス
交換である。気管は、左右の主気管支に分岐し、これらの主気管支は、最終的に終末細気
管支に更に分岐する。気管支は、誘導気道を構成し、ガス交換には関与しない。気道が更
に分岐すると、呼吸細気管支に至り、最終的には肺胞に至る。肺のこの胞状部位は、ガス
交換が行われる場所であり、呼吸域と呼ばれる。これについては、West, Respiratory Ph
ysiology- the essentialsを参照されたい。
【０００５】
様々な呼吸障害が存在する。
【０００６】
睡眠呼吸障害（ＳＤＢ）の一形態である閉塞性睡眠時無呼吸（ＯＳＡ）は、睡眠中の上
側気道の閉鎖又は閉塞によって特徴付けられる。この閉塞性睡眠時無呼吸は、睡眠中に、
異常に小さな上気道と、舌、軟口蓋、及び中咽頭後壁の部位における筋緊張の正常欠損と
が組み合わさった結果生じる。この条件によって、罹患患者は、夜ごとに、時に２００回
〜３００回、通常は３０秒〜１２０秒の継続時間の期間中、呼吸が停止する。この閉塞性
睡眠時無呼吸は、多くの場合、過度の日中の傾眠を引き起こし、心血管疾患及び脳損傷を
引き起こす場合がある。この症候群は、特に中高年の太りすぎの男性にとって一般的な障
害であるが、罹患した人は、その問題に気付いていない場合がある。これについては、米
国特許第４，９４４，３１０号（Sullivan）を参照されたい。
【０００７】
チェーンストークス呼吸（ＣＳＲ）は、動脈血の反復的な脱酸素及び再酸素添加を引き
起こす漸増漸減する（waxing and waning）換気の律動的な交番周期が存在する患者の呼
吸調節器の障害である。ＣＳＲは、反復的な低酸素のために有害である可能性がある。患
者の中には、ＣＳＲが睡眠からの反復的な覚醒に結び付き、これによって、深刻な不眠、
交感神経作用の増大、及び後負荷の増加が引き起こされる者がいる。これについては、米
国特許第６，５３２，９５９号（Berthon-Jones）を参照されたい。
【０００８】
肥満過換気症候群（ＯＨＳ：Obesity Hyperventilation Syndrome）は、低換気につい
て他の既知の原因が存在しない状態での、重度の肥満と意識下慢性高炭酸ガス血症との組
合せとして定義される。症状は、呼吸困難、朝の頭痛、及び過剰の日中の眠気を含む。
【０００９】
慢性閉塞性肺疾患（ＣＯＰＤ：Chronic Obstructive Pulmonary Disease）は、或る特
定の特性を共通に有する下部気道疾患の群のうちの任意の下部気道疾患を包含する。これ
らは、空気移動に対する抵抗の増加、呼吸の呼気位相の延長、及び肺の正常弾性の喪失を
含む。ＣＯＰＤの例は、肺気腫及び気管支炎である。ＣＯＰＤは、慢性的喫煙（主要な危
険因子）、職業上の曝露、空気汚染、及び遺伝因子によって引き起こされる。症状は、運
動時呼吸困難、慢性咳、及び痰生成を含む。
【００１０】
神経筋疾患（ＮＭＤ：Neuromuscular Disease）は、内在筋病理によって直接、又は、
神経病理によって間接的に筋肉の機能を損なう多くの疾患及び病気を包含する広義の用語
である。一部のＮＭＤ患者は、進行性筋肉障害を特徴とし、歩行不能となり、車椅子での
生活を強いられ、嚥下困難となり、呼吸筋が衰弱し、そして最終的には呼吸不全による死
がもたらされる。神経筋障害は、急速進行性及び緩徐進行性、すなわち、（ｉ）数か月に
わたって悪化し、数年以内に死に至る筋肉損傷を特徴とする急速進行性障害（例えば、１
０代の少年少女の筋委縮性側索硬化症（ＡＬＳ：Amyotropic lateral sclerosis）及びデ
ュシェンヌ筋ジストロフィ（ＤＭＤ：Duchenne muscular dystrophy）、（ｉｉ）数年に
わたって悪化し、寿命を少し減少させるだけである筋肉損傷を特徴とする変わり易い又は
緩徐進行性障害（例えば、肢帯、顔面肩甲上腕型、及び筋緊張性筋ジストロフィ）に分類
することができる。ＮＭＤにおける呼吸不全の症状は、全体的衰弱、嚥下障害、運動時及
び安静時呼吸困難、疲労、眠気、朝の頭痛、並びに意識集中及び気分転換に関する困難さ
を含む。
【００１１】
胸壁障害は、呼吸筋と胸郭との間の不十分な結合をもたらす胸郭変形の群である。その
障害は、通常、拘束性障害を特徴とし、長期高炭酸ガス血症的呼吸不全の可能性を共有す
る。脊柱側弯症及び／又は脊柱後側弯症は、重篤な呼吸不全をもたらす場合がある。呼吸
不全の症状は、運動時呼吸困難、末梢性浮腫、起座呼吸、反復される胸部感染、朝の頭痛
、疲労、不十分な睡眠品質、及び食欲不振を含む。
【００１２】
その他の点で健康な個人は、呼吸障害が発生するのを防止するシステム及びデバイスを
利用することができる。
【００１３】
１  システム
睡眠呼吸障害を治療するのに用いられる１つの既知の製品は、ＲｅｓＭｅｄによって製
造されたＳ９睡眠療法システムである。
【００１４】
２  療法
閉塞性睡眠時無呼吸（ＯＳＡ）を治療するために、経鼻持続気道陽圧（ＣＰＡＰ）療法
が用いられている。前提は、持続気道陽圧が空気圧式スプリントとして動作し、軟口蓋及
び舌を前方に押して中咽頭後壁から離すことによって上気道閉塞を防止することができる
ということである。
【００１５】
ＯＨＳ、ＣＯＰＤ、ＭＤ、及び胸壁障害を治療するために、非侵襲的換気（ＮＩＶ）が
用いられている。
【００１６】
３  患者インタフェース
陽圧の空気の供給を患者の気道の入口に適用することは、鼻マスク、フルフェイスマス
ク、又は鼻ピロー（鼻枕）等の患者インタフェースの使用によって容易にされる。様々な
患者インタフェースデバイスが知られているが、それらの多くは、特に長期間装着すると
き又は患者がシステムに不慣れであるときに、目立ちすぎること、審美的に望ましくない
こと、フィット性が不十分であること、使用が難しいこと、及び不快であることのうちの
１つ又は複数の難点を有する。個人用保護具の一部として専ら飛行士用に設計されたマス
ク又は専ら麻酔薬の投与用に設計されたマスクは、それらの本来の用途に許容可能とする
ことができるが、それでも、長期間、例えば睡眠中の装着には、あいにく不快である場合
がある。
【００１７】
３．１  シール形成部分
患者インタフェースは、通常、シール形成部分を含む。
【００１８】
１つのタイプのシール形成部分は、患者インタフェースの周辺部に延在し、シール形成
部分がユーザの顔と対向して係合した状態で患者インタフェースに力がかけられるときに
、ユーザの顔に対して封止するように意図されている。シール形成部分は、空気若しくは
流体充填クッション、又はゴム等のエラストマーから作製された弾性シール要素の成形面
若しくは形成面を含むことができる。このタイプのシール形成部分では、フィット性が適
切でない場合、シール形成部分と顔との間に間隙があることになり、シールを達成するた
めに患者インタフェースを顔に接触させるように追加の力が必要になる。
【００１９】
別のタイプのシール形成部分は、マスク内に陽圧が印加されるときにユーザの顔に対し
て自己封止作用をもたらすようにマスクの周辺部に配置される薄い材料のフラップシール
を組み込む。シール形成部分の前述の方式と同様に、顔とマスクとの間の適合が十分でな
い場合、シールをもたらすために追加の力が必要である場合があり、そうでなければマス
クは漏れる場合がある。さらに、シール形成部分の形状が患者の形状と一致しない場合、
使用時にしわになるかまたはゆがんで、漏れを発生させる場合がある。
【００２０】
シール形成部分の別の形態は、シールをもたらすために接着剤を使用することができる
。患者によっては、自身の顔に常に接着剤を塗布し除去することが不都合であると感じる
場合がある。
【００２１】
さまざまな患者インタフェースシール形成部分技術が、ResMed Limitedに譲渡された以
下の特許出願に開示されている。すなわち、国際公開第１９９８／００４，３１０号、同
第２００６／０７４，５１３号、同第２０１０／１３５，７８５号である。
【００２２】
３．２  位置決め及び安定化
陽圧呼吸療法に使用される患者インタフェースのシール形成部分は、シールを妨害する
気圧の対応する力を受ける。したがって、シール形成部分を位置決めし、それを顔の適切
な部分と封止関係で維持するように、種々の技法が使用されてきた。
【００２３】
１つの技法は、接着剤の使用である。例えば、米国特許出願公開第２０１０／００００
５３４号を参照されたい。
【００２４】
別の技法は、１つまたは複数のストラップ及び安定化ハーネスの使用である。こうした
ハーネスの多くは、フィット性が悪く、かさばり、不快でありかつ使い難いことのうちの
１つ又は複数の難点を有する。
【００２５】
３．３  通気孔技術
患者インタフェースシステムの形態によっては、吐き出される二酸化炭素のウォッシュ
アウトを可能にする通気孔を含むことができる。多くのこうした通気孔は騒音がある。使
用時に閉塞し、十分なウォッシュアウトを提供しない通気孔もある。通気孔によっては、
騒音又は集中した気流により、患者１０００の同床者１１００の睡眠を妨げる場合がある
。
【００２６】
ResMed Limitedは、多数の改善されたマスク通気孔技術を開発してきた。国際公開第１
９９８／０３４，６６５号、同第２０００／０７８，３８１号、米国特許第６，５８１，
５９４号、米国特許出願公開第２００９／００５０１５６号、米国特許出願公開第２００
９／００４４８０８号を参照されたい。
【００２７】
【表１】
2020171797.tif 000003
【００２８】
（＊１０ｃｍＨ２ＯでＣＰＡＰモードにおいてＩＳＯ３７４４で指定されている試験方法
を用いて測定された、１つの標本のみ）
【００２９】
【表２】
2020171797.tif 000004
【００３０】
３．４  鼻ピロー技術
鼻ピローの１つの形態は、Puritan Bennettによって製造されているAdam Circuitに見
られる。別の鼻ピローまたは鼻パフ（nasal puff）は、Puritan-Bennett Corporationに
譲渡された米国特許第４，７８２，８３２号（Trimble他）の主題である。
【００３１】
ResMed Limitedは、鼻ピローを組み込んだ以下の製品を製造した。すなわち、ＳＷＩＦ
Ｔ鼻ピローマスク、ＳＷＩＦＴ  ＩＩ鼻ピローマスク、ＳＷＩＦＴ  ＬＴ鼻ピローマスク
、ＳＷＩＦＴ  ＦＸ鼻ピローマスク及びＬＩＢＥＲＴＹフルフェイスマスクである。ResM
ed Limitedに譲渡された以下の特許出願は、鼻ピローマスクについて記載している。すな
わち、国際公開第２００４／０７３，７７８号（特に、ＲｅｓＭｅｄ  ＳＷＩＦＴ鼻ピロ
ーの態様について記載している）、米国特許出願公開第２００９／００４４８０８号（特
に、ＲｅｓＭｅｄ ＳＷＩＦＴ  ＬＴ鼻ピローの態様について記載している）、国際公開
第２００５／０６３，３２８号及び同第２００６／１３０，９０３号（特に、ＲｅｓＭｅ
ｄ  ＬＩＢＥＲＴＹフルフェイスマスクの態様について記載している）、国際公開第２０
０９／０５２，５６０号（特に、ＲｅｓＭｅｄ  ＳＷＩＦＴ  ＦＸ鼻ピローの態様につい
て記載している）である。
【００３２】
４  ＰＡＰデバイス
陽圧の空気は、通常、モータ駆動ブロワ等のＰＡＰデバイスによって患者の気道に供給
される。このブロワの放出口は、可撓性の送達導管を介して、上記に説明したような患者
インタフェースに接続される。
【００３３】
５  睡眠検出
睡眠情報は、呼吸問題を処置及び／又は診断するために有用である場合があり、又は単
に健康をモニタリングするために有用である場合がある。現時点では、人の睡眠段階は、
通常、睡眠ポリグラフ検査と呼ばれる実験室ベースの測定を用いて決定される。睡眠ポリ
グラフ検査では、呼吸、心電図検査（ＥＣＧ）、脚の動き及び電気眼球図記録（ＥＯＧ）
等の他のパラメータに加えて、幾つかの脳波図（ＥＥＧ）読取値を取得することが一般的
である（ＥＥＧは、頭皮において電極を用いて測定することができる脳活動によって発生
するマイクロボルト電位である）。Rechtschaffen and Kales（Ｒ＆Ｋ）によって最初に
開拓された業績に基づいて、現在では、人の睡眠を３０秒エポック（epoch）でスコアリ
ングし、これらのエポックを、睡眠段階ラベルを用いてラベル付けすることが通例である
。
【００３４】
目下、米国睡眠医学会は、睡眠の段階を以下のように定義している。
覚醒−これは、人が完全に覚醒しているときであり、通常は８Ｈｚ〜１４Ｈｚの範囲（
アルファ波と呼ばれることが多い）にある（眼が閉じられているときの）後頭部ＥＥＧチ
ャネルにおける正の優位律動によって特徴付けられる。
段階Ｎ１−これは、最も浅い睡眠段階であり、エポックの５０％を超えてアルファ波が
混在する複数の周波数での幾つかの低振幅波が現われることによって特徴付けられる。頭
蓋頂鋭波（sharp vertex wave）、ＥＯＧにおける幾分か遅い眼球運動及び／又はＥＥＧ
の周波数の全体的な低下がある場合もある。
段階Ｎ２−これは、わずかに深い睡眠の段階であり、混合周波数信号の背景に睡眠紡錘
波及びＫ複合が現われることによって特徴付けられる。睡眠紡錘波は、相対的に高い周波
数活動（たとえば、１２Ｈｚを超える）のバーストである。Ｋ複合は、約１秒〜２秒続く
明確な隔離された両極性の波である。
段階Ｎ３は、最も深い睡眠の段階である（最初のＲ＆Ｋ分類では、段階３及び段階４と
呼ばれる２つの明確な段階があった）。これは、エポックの少なくとも２０％に対して低
速な波（例えば、１Ｈｚ〜２Ｈｚ周波数）が現われることによって特徴付けられる。
段階Ｒ（レム）−これは、急速眼球運動睡眠であり、ＥＯＧ信号における明確な活動の
存在を通して明らかである。記録されるＥＥＧ信号は、通常、段階Ｎ１又は更には覚醒と
極めて類似している。
【００３５】
睡眠ポリグラムデータをスコアリングすることからの自動化システムは、Rapoport他の
米国特許第５７３２６９６号において考察されている。そのシステムは、コンピュータを
用いてＰＳＧデータにおいて基本パターン（上述した睡眠紡錘波等）を探し、その後、確
率的重み付けを用いて各エポックをスコアリングする。しかしながら、睡眠段階を決定す
る問題に対するこの手法は、睡眠ポリグラム信号の完全な組を測定することが技術的に困
難であることによって制限され、したがって、２晩以上実施することが困難でありかつ面
倒である。
【００３６】
複数のシステムが、睡眠段階を決定する問題に対する別の解決法を提供してきた。１つ
の手法は、アクティグラフィを使用することであり、そこでは、小型の動きセンサ（例え
ば、加速度計）が、ユーザにより、通常は腕時計の形態で着用される。しかしながら、こ
うしたシステムには、睡眠と覚醒とを識別することしかできず、睡眠障害のある患者にお
いて精度が不十分であるという不都合がある。
【００３７】
米国特許出願公開第２００６／０１８４０５６号（Heneghan他）は、無呼吸であるか正
常であるか、各エポックに対する状態を決定するように処理されるＥＣＧ信号を用いる睡
眠モニタリングシステムについて記載している。
【００３８】
国際公開第２００７／１４３５３５号（Heneghan他）は、非接触式に取得される動き信
号、呼吸信号及び心拍信号をモニタリングすることにより、睡眠状態等の生理学的徴候を
モニタリングするシステムについて記載している。データの流れに対して分類器モデルが
適用される。
【００３９】
ＥＣＧ及び呼吸方法を結合して簡略化された睡眠段階を決定するシステムが、米国特許
出願公開第２００９０１３１８０３号（Heneghan他）に記載されている。これは、覚醒状
態から睡眠を識別するために、ＥＣＧ信号及び優位呼吸周波数の振幅変調等の心電図信号
及び呼吸信号から導出された信号特性を結合する。
【００４０】
国際公開第２００４１１２６０６号（Heneghan他）は、経頚部生体インピーダンス測定
を用いて睡眠時無呼吸を検出する方法について記載している。
【００４１】
米国特許出願公開第２０１１／０１２４９７９号（Heneghan他）は、ＥＣＧ及び光電式
指尖容積脈波（ＰＰＧ）データを用いる睡眠モニタリングに対する手法について記載して
いる。これらは、歩行中に装着可能なホルタモニタ及びパルスオキシメータを用いて検知
することができる。
【００４２】
心臓Ｒ−Ｒ波間隔を用いて睡眠をレム又はノンレムとして指定する手法が、Lavieに対
する米国特許第５，２８０，７９１号において考察されている。睡眠の段階を決定するた
めに、心臓Ｒ−Ｒ間隔のパワースペクトルが計算される。
【００４３】
Eyal及びBaharavの米国特許出願公開第２０１３／０００６１２４号は、患者の心拍を
測定し、心拍間間隔を解析し、被験者が睡眠段階（浅い睡眠、徐波睡眠、レム）にあるか
否かを判断するために、プレチスモグラフ、レーダ、マイクロフォン、加速度計等の非Ｅ
ＣＧデバイスを使用することを考察している。
【発明の概要】
【００４４】
本開示は、睡眠研究の分野と個々のユーザに対して生活の質の基準を提供することに適
用される。
【００４５】
本技術は、睡眠関係情報を検出する健康又は医療デバイスを提供することに関し、任意
選択的に、改善された快適さ、コスト、効果、使い易さ及び製造可能性のうちの１つ又は
複数を有する、呼吸障害の診断、改善、治療又は防止に用いることができる。
【００４６】
例えば、本開示は、非接触式に睡眠段階を決定する装置、システム及び方法の様々な実
施形態及び態様を提供する。
【００４７】
１つの態様では、人被験者の体動及び呼吸運動の測定値のみに基づいて被験者の睡眠段
階を導出する装置、システム及び方法が提供される。提供される睡眠段階は、深い睡眠と
他の全ての睡眠の段階とを識別することができ、すなわち深い睡眠、浅い睡眠及びレム睡
眠を更に識別することができる。これに関して、深い睡眠は、米国睡眠医学会によって定
義されるような段階Ｎ３を指す。段階Ｎ１及びＮ２は、まとめて「浅い睡眠」と呼ばれる
。体動及び呼吸運動を、感圧マットレス又は無線周波数動きセンサ等の非侵襲的センサを
通して得ることができる。最近のセンサは、完全に非接触センサでもあり、それは、ユー
ザが、センサと機械的に接触する必要がないためである（圧力センサの場合、幾分かの接
触は必要である）。
【００４８】
したがって、本技術によれば、（ａ）患者とのいかなる直接的な電気的接触又は機械的
接触も不要とすることができ、例えば、ＥＣＧ、インダクタンス・プレチスモグラフ又は
生体インピーダンス信号は取得されず、（ｂ）心臓情報を取得する必要もなくすことがで
き、睡眠状態の推定は、動き信号及び呼吸信号のみに対して行われる。したがって、提案
される技術は、従来技術による問題の少なくともいくつかを克服若しくは改善し、又は有
用な代替物を提案する。
【００４９】
１つの実施形態では、無線周波数センサユニットを、睡眠中の被験者のベッドの近くの
ベッドサイドテーブルの上に配置することができる。センサの動作を、センサから所定距
離に制限することができるように、センサを、距離ゲート式（range gated）とすること
ができ、それにより、センサに対して必要な空間分解能が与えられる。センサユニットは
、プロセッサ及びディスプレイと通信することができ、１つの態様では、センサ、プロセ
ッサ及びディスプレイは、物理的に同じユニットに実装することができる。プロセッサを
用いて、呼吸及び動きに関する情報、並びに睡眠段階等のより高次の情報を抽出すること
ができる。ディスプレイは、一続きの夜通しの睡眠段階を表示する等、通常は夜の終りに
ユーザにフィードバックを提供するように構成することができる。睡眠の存在を用いるこ
とで周囲温度、周囲照明レベル、周囲騒音又は周囲のにおい等の環境因子を制御すること
ができるように、フィードバックをリアルタイムで提供することもできる。フィードバッ
クを用いて、ラジオ、テレビ又は他の娯楽装置等の電子装置を制御することもできる。１
つの態様では、完成したシステムは、以下のうちの１つ又は複数を含むことができる。す
なわち、動きセンサ（全体的な体動及び呼吸を検出する）、処理機能（呼吸及び動きに直
接関連する信号を導出し、したがって睡眠段階を導出する）、表示機能（視覚的フィード
バックを提供する）、照明及び又は明るさ制御機能（部屋の明るさを変更する）、音声機
能（音響フィードバックを提供する、例えば、睡眠段階によって振幅が変化する白色雑音
発生器）及び／又は取得されたデータを別個のユニットに送信する通信機能（有線又は無
線）である。同じか又は別個のユニットを、上述した処理機能、表示機能、照明機能及び
音声機能を実行するように構成することができる。別個のユニットは、携帯電話又はタブ
レットコンピュータ等のローカルデバイスとすることができ、又はリモートコンピュータ
とすることができる。
【００５０】
１つ又は複数の実施形態では、開示するシステムは、生きている被験者からの反射無線
周波数信号を受信するように構成された１つ又は複数のセンサによって呼吸及び／又は動
き信号を測定する。プロセッサは、反射信号を解析して、動き及び呼吸の測定値を求め、
従って睡眠段階を決定するように構成されており、ディスプレイは、システムのユーザに
対して、呼吸、動き及び睡眠段階のうちの１つ又は複数に関連する選択された情報を提供
するように構成されている。システムは、生きている被験者から反射される無線周波数信
号を発生させる送信機を更に備えることができ、システムによって放出される出力レベル
は、人に連続して使用するには安全である。
【００５１】
別の実施形態では、呼吸、心臓活動及び体動を測定し解析する方法は、人被験者から反
射される無線周波数信号を受信するステップと、反射信号を解析して動き及び呼吸に関す
る測定値、したがって睡眠段階を生成するステップと、システムのユーザに、画面に表示
することができる選択された情報を提供するステップと、を含む。
【００５２】
１つの態様では、本発明は、被験者の睡眠段階を分類する方法を提供し、本方法は、
被験者の体動及び呼吸運動に関する１つ又は複数の信号を検出するステップと、
検出信号の少なくとも一部を解析して、呼吸数（呼吸速度）及び／又は呼吸振幅の変動
を計算するステップと、
呼吸変動を体動検出と結合して睡眠段階を決定するステップと、
を含む。
【００５３】
１つの実施形態では、解析により、呼吸数（呼吸速度）及び呼吸振幅が求められる。元
の動き信号（全体的な又は生の検出された動き信号）を取得し、周波数領域フィルタリン
グを用いることによって、それを「呼吸」及び「非呼吸」に分割する処理手段が提供され
る（例えば、大部分の呼吸努力信号は０．５Ｈｚ未満であるため、ローパスフィルタは、
信号の呼吸関連部分のみを隔離することができる）。そして、呼吸数及び呼吸振幅を、信
号のこの部分のみから計算することができる。しかしながら、非呼吸信号動き成分は、通
常、睡眠状態を決定するためにも有用である動きを反映するため、本方法は、全体的な／
生の検出信号を解析して、被験者の睡眠段階を分類することを含むことができる。好まし
くは、１つ又は複数の信号の検出は、非接触式に行われる。
【００５４】
１つの実施形態では、本方法は、人の存在又は不在の検出を含む。好ましくは、解析は
、出力が睡眠又は覚醒のみである簡略化された睡眠段階計算を含む。１つの実施形態では
、検出信号は、被験者の呼吸数を推定するために処理される。１つの実施形態では、検出
信号は、被験者の呼吸振幅を推定するために処理される。好ましくは、呼吸数の推定が、
エポック単位で（例えば、３０秒エポックにわたって）行われる。１つの実施形態では、
解析は、測定された呼吸信号の振幅の変動と振幅閾値との比較に応じて、呼吸安定閾値を
選択することを含む。好ましくは、解析は、測定された呼吸数信号の変動と閾値との比較
に応じて呼吸数安定閾値を選択することを含む。
【００５５】
１つの実施形態では、解析は、複数のエポックの各々に対して、それぞれのエポックの
各々の呼吸数の最小値及び最大値に基づいて、呼吸数範囲を計算することを含む。好まし
くは、本方法は、
ａ．エポックに対して、計算された呼吸範囲を選択された安定閾値と比較するステップ
と、
ｂ．計算された呼吸範囲が選択された安定閾値より小さい場合はエポックを深い睡眠と
して分類し、そうでない場合は、エポックを浅い睡眠として分類するステップと、
を含む。
【００５６】
１つの実施形態では、浅い睡眠エポックに遭遇した場合に、以前の深い睡眠エポックの
シーケンス長をカウントするステップと、最後の浅い睡眠エポック以後に遭遇した深い睡
眠エポックの先行するエポックの数が所定数未満である場合に、これらのエポックを浅い
睡眠として再分類するステップと、を含む。１つの実施形態では、所定数は５である。
【００５７】
１つの実施形態では、本方法は、睡眠の期間を、その期間中の呼吸数の変動に基づいて
、深い睡眠又はレム睡眠のいずれかとして分類するステップを含む。
【００５８】
１つの実施形態では、本方法は、期間を、その期間に対するスペクトル解析及び近似エ
ントロピー解析から導出される特徴の組合せが閾値よりそれぞれ小さいか又は大きいかに
基づいて、深い睡眠期間又はレム睡眠期間のいずれかとして分類するステップを含む。１
つの実施形態では、非接触無線周波数ベースのセンサが使用され、解析は、送信機の位相
空間において９０°離れた位置から観察される検出された動きを表す直交信号Ｉ及びＱを
提供する。
【００５９】
１つの実施形態では、解析は、呼吸数変動及び呼吸振幅変動を用いて睡眠段階を決定す
る。１つの実施形態では、解析は、呼吸数及び振幅の変動を用いてレム睡眠を識別し、呼
吸数の相対的に高い変動の期間はレム睡眠期間の指示としてみなされ、呼吸数の相対的に
低い変動の期間は、深い睡眠の状態に関連するものとしてみなされる。１つの実施形態で
は、解析は、予測可能な時系列に対して相対的に低い値を想定し、時間系列がより可変に
なるほど相対的に高い値を想定する近似エントロピーを用いて、時系列の変動を評価する
ことを含む。好ましくは、解析は連続した呼吸数及び呼吸振幅推定値を提供し、その後、
呼吸数はセグメントで２つの処理ブロックに供給され、そこではブロックは、信号のその
セグメントの近似エントロピーであるエポックに対する単一の数を出力する。
【００６０】
別の態様では、本発明は、被験者の睡眠段階を分類するシステムであって、
体動及び呼吸関連運動に関連する１つ又は複数の信号を検出するように構成された１つ
又は複数のセンサと、検出された信号の少なくとも一部を解析して、呼吸数及び／又は呼
吸振幅の変動を計算し、呼吸変動を体動検出と結合して睡眠段階を決定するように構成さ
れたプロセッサと、
を備えるシステムを提供する。
【００６１】
１つの実施形態では、１つ又は複数のセンサのうちの少なくとも１つは非接触センサで
ある。１つの実施形態では、少なくとも１つの非接触センサは無線周波数ベースのセンサ
である。１つの実施形態では、少なくとも１つの非接触無線センサは距離ゲート式である
。
【００６２】
本技術のいくつかの変形は、被験者の睡眠段階を分類する装置のプロセッサの方法を含
むことができる。本方法は、被験者の体動及び／又は呼吸運動に関連する複数の信号にア
クセスするステップを含むことができる。本方法は、処理するために複数の信号のうちの
１つを選択するステップを含むことができる。本方法は、選択された信号をウェーブレッ
ト変換によって処理するステップを含むことができる。本方法は、変換された信号に対応
するマスクを生成するステップを含むことができる。本方法は、マスクに従って、変換さ
れた信号から特徴を抽出するステップも含むことができる。本方法は、抽出された特徴に
基づいて睡眠段階を分類するステップも含むことができる。
【００６３】
場合によっては、プロセッサは、最大帯域内呼吸パワーを検出することによって、複数
の信号のうちの１つを選択することができる。場合によっては、本方法は、プロセッサに
より、変換された信号から呼吸統計量を抽出するステップを更に含むことができ、睡眠段
階を分類するステップは、呼吸統計量に更に基づくことができる。呼吸統計量は、呼吸間
隔の平均、呼吸振幅の平均、呼吸間隔の変動、及び呼吸振幅の変動、のうちの１つ又は複
数を含むことができる。
【００６４】
場合によっては、抽出された特徴は、呼吸帯域のすぐ上の最高ウェーブレット詳細にお
けるパワー、及び近似係数におけるパワーのうちの１つ又は複数を含むことができる。任
意選択的に、生成されたマスクは、変換された信号の特定部分に対するノイズを示すこと
ができる。生成されたマスクは、変換された信号のバイナリマップとすることができる。
【００６５】
場合によっては、分類するステップは、線形判別解析を含むことができる。本方法は、
分類された睡眠段階のパターンを検出するステップと、検出されたパターンに基づいて誤
った分類を補正するステップと、を更に含むことができる。任意選択的に、本方法は、分
類された睡眠段階を表示するステップを更に含むことができる。睡眠段階は、覚醒段階、
浅い睡眠段階、深い睡眠段階及びレム睡眠段階のうちの１つ又は複数の一連を含むことが
できる。
【００６６】
場合によっては、本方法（複数の場合もある）を、被験者の睡眠段階を分類するシステ
ムによって実施することができる。本システムは、体動及び呼吸関連運動に関連する複数
の信号を検出するように構成された１つ又は複数のセンサを含むことができる。本システ
ムはまた、複数の信号を処理し、複数の信号のうちの１つを処理するために選択し、選択
された信号をウェーブレット変換によって処理し、変換された信号に対応するマスクを生
成し、マスクに従って、変換された信号から特徴を抽出し、抽出された特徴に基づいて睡
眠段階を分類するように構成されているプロセッサもまた含むことができる。場合によっ
ては、１つ又は複数のセンサのうちの少なくとも１つは非接触センサであり、それは、無
線周波数ベースのセンサ又は距離ゲート式のセンサとすることができる。本システムは、
呼吸治療装置を更に含むことができる。呼吸治療装置は、患者インタフェースに結合する
ように適合された流れ発生器（フロージェネレータ）を含むことができる。呼吸治療装置
は、流れ発生器の治療動作を設定するように構成されたコントローラも含むことができる
。コントローラは、プロセッサと通信し、決定した睡眠段階に部分的に基づいて、治療圧
力を制御するように構成することができる。
【００６７】
さらなる態様では、本発明は、デジタルプロセッサによって実行される場合に、本明細
書において任意の実施形態に記載されているような方法のうちのいずれかの方法のステッ
プを実行するように適合されたソフトウェアコードを含むコンピュータ可読媒体を提供す
る。
【００６８】
もちろん、上記態様の幾つかの部分は、本技術の部分態様を形成することができる。ま
た、これらの部分態様及び／又は態様のうちの様々なものは、様々な方法で組み合わせる
ことができ、本技術の追加の態様又は部分態様も構成することができる。
【００６９】
本技術の他の特徴は、以下の詳細な説明、要約書、図面、及び特許請求の範囲に含まれ
る情報を検討することから明らかになるであろう。
【００７０】
本技術は、限定ではなく例として、添付図面の図に示されている。これらの図において
、同様の参照符号は、以下のものを含む類似の要素を参照する。
【図面の簡単な説明】
【００７１】
１  治療システム
【図１ａ】本技術によるシステムを示す図である。患者インタフェース３０００を装着している患者１０００は、ＰＡＰデバイス４０００から陽圧の空気の供給を受ける。ＰＡＰデバイスからの空気は、加湿器５０００において加湿され、空気回路４１７０に沿って患者１０００に進む。
【図１ｂ】鼻マスクを装着した患者に対して使用されているＰＡＰデバイスを示す図である。
【図１ｃ】フルフェイスマスクを装着した患者に対して使用されているＰＡＰデバイスを示す図である。２  療法２．１  呼吸器系
【図２ａ】鼻腔及び口腔、喉頭、声帯、食道、気管、気管支、肺、肺胞嚢、心臓、並びに横隔膜を含む人間の呼吸器系の概略を示す図である。
【図２ｂ】鼻腔、鼻骨、外側鼻軟骨、大鼻翼軟骨、鼻孔、上唇、下唇、喉頭、硬口蓋、軟口蓋、咽頭口腔部、舌、喉頭蓋、声帯、食道、及び気管を含む人間の上気道の図である。３  患者インタフェース
【図３】本技術の１つの形態による患者インタフェースを示す図である。
【図４ａ】本技術の１つの形態によるＰＡＰデバイスを示す図である。
【図４ｂ】本技術の１つの形態によるＰＡＰデバイスの空気圧回路の概略図である。上流及び下流の方向が示されている。
【図４ｃ】本技術の１つの態様によるＰＡＰデバイスの電気部品の概略図である。
【図４ｄ】本技術の１つの態様によるＰＡＰデバイスで実施されるプロセス又はアルゴリズム例の概略図である。この図では、実線による矢印が、例えば電子信号を介する情報の実際の流れを示す。５  加湿器
【図５】本技術の１つの態様による加湿器の一例を示す図である。６  呼吸波形
【図６ａ】睡眠中の人の一般的な呼吸波形のモデルを示す図である。横軸は時間であり、縦軸は呼吸流量である。パラメータ値は変動する場合があるが、一般的な呼吸は、次の近似値、すなわち、１回換気量Ｖｔ、０．５Ｌ、吸息時間Ｔｉ、１．６ｓ、ピーク吸気流量Ｑｐｅａｋ、０．４Ｌ／ｓ、呼息時間Ｔｅ、２．４ｓ、ピーク呼気流量Ｑｐｅａｋ、−０．５Ｌ／ｓを有することができる。呼吸の全継続時間Ｔｔｏｔは、約４ｓである。人は、通常、約１５呼吸毎分（ＢＰＭ）の呼吸数で呼吸し、換気量Ｖｅｎｔは約７．５Ｌ／分である。Ｔｔｏｔに対するＴｉの比である通常のデューティサイクルは約４０％である。
【図６ｂ】自動ＰＡＰを用いて治療され、マスク圧力が約１１ｃｍＨ２Ｏである、約９０秒の期間にわたって約３４呼吸で正常に呼吸するノンレム睡眠中の患者を示す図である。上部のチャネルは、オキシメトリ（ＳｐＯ２）を示し、縦方向の目盛りは、９０％〜９９％の飽和度の範囲を有する。この患者は、図示した期間全体を通じて約９５％の飽和度を維持していた。第２のチャネルは、定量的な呼吸気流量を示し、目盛りは縦方向で−１ＬＰＳ〜＋１ＬＰＳの範囲であり、吸気は正である。第３のチャネル及び第４のチャネルには、胸部運動及び腹部運動が示されている。
【図６ｃ】治療前の患者の睡眠ポリグラフを示す図である。上部から底部に６分間の横スパンを有する１１個の信号チャネルがある。上部の２つのチャネルはともに、異なる頭皮ロケーションからのＥＥＧ（脳波図）である。第２チャネルの周期的なスパイクは、大脳皮質の覚醒及び関連した活動を表している。下にある第３のチャネルは、おとがい下のＥＭＧ（筋電図）である。覚醒時点の辺りの活動の増加は、おとがい舌筋漸増を表す。第４のチャネル及び第５のチャネルは、ＥＯＧ（電気眼球図）である。第６のチャネルは、心電図である。第７のチャネルは、約９０％から７０％未満への反復的な脱飽和を有するパルスオキシメトリ（ＳｐＯ２）を示している。第８のチャネルは、差圧トランスデューサに接続された鼻カニューレを用いた呼吸気流量である。２５秒〜３５秒の反復的な無呼吸が１０秒〜１５秒の回復呼吸のバーストと交互に起こることは、ＥＥＧ覚醒及びＥＭＧ活動の増加と一致する。第９のものは、胸部運動を示し、第１０のものは、腹部運動を示している。腹部は、覚醒に至る無呼吸の長さにわたる運動の漸強を示す。両者は、回復過呼吸の間の身体全体の運動に起因して、覚醒の間は乱雑になる。したがって、無呼吸は閉塞性であり、その状態は深刻である。最も下のチャネルは姿勢であり、この例では、変化を示していない。
【図６ｄ】患者が一連の総合的な閉塞性無呼吸を体験している場合の患者流量データを示す図である。記録継続時間は、ほぼ１６０秒である。流量は、約＋１Ｌ／ｓ〜約−１．５Ｌ／ｓの範囲である。各無呼吸はほぼ１０ｓ〜１５ｓの間続く。
【図６ｅ】患者が低周波数の吸気性いびきを体験している場合の呼吸の目盛り付き吸気部分を示す図である。
【図６ｆ】患者が平坦吸気流量制限の一例を体験している場合の呼吸の目盛り付き吸気部分を示す図である。
【図６ｇ】患者が「メサ」平坦吸気流量制限の一例を体験している場合の呼吸の目盛り付き吸気部分を示す図である。
【図６ｈ】患者が「パンダ・イヤー（panda ears）型」吸気流量制限の一例を体験している場合の呼吸の目盛り付き吸気部分を示す図である。
【図６ｉ】患者が「チェア（chair）型」吸気流量制限の一例を体験している場合の呼吸の目盛り付き吸気部分を示す図である。
【図６ｊ】患者が「リバースチェア（reverse chair）型」吸気流量制限の一例を体験している場合の呼吸の目盛り付き吸気部分を示す図である。
【図６ｋ】患者が「Ｍ字型」吸気流量制限の一例を体験している場合の呼吸の目盛り付き吸気部分を示す図である。
【図６ｌ】患者が深刻な「Ｍ字型」の吸気流量制限の一例を体験している場合の呼吸の目盛り付き吸気部分を示す図である。
【図６ｍ】チェーンストークス呼吸を有する患者のデータを示す図である。酸素飽和度（ＳｐＯ２）、流量を示す信号、及び第３に運動の３つのチャネルがある。データは６分間にわたる。流量を表す信号は、鼻カニューレに接続された圧力センサを用いて測定されたものである。患者は、約２２秒の無呼吸と、約３８秒の過呼吸とを呈する。無呼吸中のより高い周波数の低振幅振動は心臓性のものである。
【図６ｎ】図６ｍと同じ３つのチャネルを用いて、チェーンストークス呼吸の別の例の患者に対するデータを示す図である。データは１０分間にわたる。概して、図６ｎの流量データ信号では、患者は、図６ｍに示す無呼吸の代りに呼吸低下を体験している。７  モニタリングシステム
【図７】患者の呼吸及び／又は動きをモニタリングする非接触装置例を示す図である。睡眠段階の評価において一実施形態のシステムをいかに使用することができるかも示し、そこでは、システムは、ベッドサイドテーブルに配置され、被験者の動き及び呼吸に関する測定値を取得する。４．８  睡眠段階処理
【図８】動き信号及び呼吸信号の全体的な処理の概略表現の図であり、様々なレベルの出力、すなわち、被験者が存在するか若しくは不在であるかの指標、人が眠っているか若しくは覚醒しているかの指示、又は睡眠段階の指示が可能である。
【図９】エポックに分割されたセンサ信号を示す図であり、各エポックは呼吸数に関連している。
【図１０】人が深い睡眠（上述した段階Ｎ３）にあるか否かを判断するために実施することができる処理のフローチャートである。
【図１１】睡眠の期間の分類に対する、その期間の間の呼吸数信号及び振幅信号の変動に基づくプロセス例を示す図である。
【図１２】時間の関数としての（ａ）呼吸数信号及び（ｂ）正規化された呼吸振幅信号の一例を示す図である。
【図１３】呼吸数信号のパワースペクトル密度（ＰＳＤ）推定の解析を示す図であり、図１３の上のグラフはＰＳＤの対数対対数プロットに対する線形適合を示し、下のグラフは様々なスペクトル帯域内に含まれるパワーを示す。
【図１４】或る期間にわたる呼吸数、分類器の内部判別値、及び図１１に示す睡眠段階分類器の最終出力のプロットを示す図であり、したがって、呼吸信号から睡眠段階（レム睡眠）の出力指示を導出することができる。
【図１５】システムがデータ（例えば、睡眠段階指示）をエポックに時系列でいかに当てはめるかを示す出力図である。
【図１６】本技術の幾つかの実施形態における実施に適した睡眠段階検出器に含むことができるプロセッサ又は処理部品例を示す処理図である。
【発明を実施するための形態】
【００７２】
本技術を更に詳細に説明する前に、本明細書において説明する特定の例は変化すること
ができ、本技術はこれらの例に限定されるものではないことが理解されるべきである。こ
の開示において用いられる術語は、本明細書において論述する特定の例のみを説明するた
めのものであり、限定を意図するものではないことも理解されるべきである。
【００７３】
１  治療システム
１つの形態では、本睡眠段階モニタ技術は、睡眠障害を治療する装置内に組み込むこと
ができ、又はそれと通信（有線又は無線）することができる。本装置は、空気等の加圧呼
吸ガスを、患者インタフェース３０００に通じる空気送達チューブを介して患者１０００
に供給する流れ発生器又はブロワを備えることができる。
【００７４】
２  療法
１つの形態では、本技術は、睡眠段階モニタによって行われる睡眠段階の特定の検出に
応答するか又はそれに基づく等、患者１０００の気道の入口に陽圧を印加するか又はその
陽圧を調整するステップを含む、呼吸障害を治療する方法を含む。治療（例えば陽圧）は
、ＣＰＡＰ治療、自動気道陽圧（automatic titrating pressure）（ＡＰＡＰ）、二相性
ＰＡＰ又は他の適切な呼吸治療等の任意のタイプとすることができる。
【００７５】
２．１  ＯＳＡ用の経鼻ＣＰＡＰ
例えば、１つの形態では、本技術は、経鼻持続気道陽圧を患者に印加することによって
患者の閉塞性睡眠時無呼吸を治療する方法を含む。
【００７６】
本技術の或る特定の実施形態では、陽圧の空気の供給は、一方又は双方の鼻孔を介して
患者の鼻通路に提供される。
【００７７】
本技術の或る特定の実施形態では、口呼吸は、限られ、制限され又は妨げられる。
【００７８】
３  患者インタフェース３０００
本技術の１つの態様による非侵襲的患者インタフェース３０００は、任意選択的に、次
の機能的態様、すなわち、シール形成構造体３１００、プレナムチャンバ３２００、位置
決め安定化構造体３３００、及び空気回路４１７０への接続用の接続ポート３６００のう
ちの１つ又は複数を備えることができる。幾つかの形態では、機能的態様は、１つ又は複
数の物理的部品によって提供することができる。幾つかの形態では、１つの物理的部品は
、１つ又は複数の機能的態様を提供することができる。使用の際、シール形成構造体３１
００は、気道への陽圧の空気の供給を容易にするために、患者の気道への入口を取り囲む
ように配置される。
【００７９】
３．１  シール形成構造体３１００
本技術の１つの形態では、シール形成構造体３１００が、封止形成面を提供し、緩衝機
能を更に提供することができる。
【００８０】
本技術によるシール形成構造体３１００は、シリコーン等の軟質で可撓性のある弾性材
料から構成することができる。
【００８１】
１つの形態では、シール形成構造体３１００は、封止フランジ３１１０及び支持フラン
ジ３１２０を備えている。好ましくは、封止フランジ３１１０は、プレナムチャンバ３２
００の外周部３２１０の周囲に延在する、厚さが約１ｍｍ未満、例えば約０．２５ｍｍか
ら約０．４５ｍｍの相対的に薄い部材を含む。支持フランジ３１２０を、封止フランジ３
１１０より相対的に厚くすることができる。支持フランジ３１２０は、封止フランジ３１
１０とプレナムチャンバ３２００の周縁エッジ３２２０との間に配置され、少なくとも外
周部３２１０の一部に延在している。支持フランジ３１２０は、ばね状要素であるか又は
それを含み、使用時に封止フランジ３１１０を座屈しないように支持するように機能する
。使用時、封止フランジ３１１０は、プレナムチャンバ３２００内のシステム圧力に容易
に応答し、その下側に作用してそれを顔と密に封止係合させる。
【００８２】
１つの形態では、非侵襲的患者インタフェース３０００のシール形成部分は、一対の鼻
パフ又は鼻ピローを備え、各鼻パフ又は鼻ピローは、患者の鼻のそれぞれの鼻孔とのシー
ルを形成するように構成及び配置されている。
【００８３】
本技術の一態様による鼻ピローは、少なくとも一部が患者の鼻の下側にシールを形成す
る円錐台（frusto-cone）と、柄と、錐体の下側の、錐体を柄に接続する可撓性領域とを
含む。さらに、本技術の鼻ピローが接続される構造体は、柄の基部に隣接する可撓性領域
を含む。それらの可撓性領域は共に作用して、円錐台と鼻ピローが接続される構造体との
相対移動（変位及び角度の両方）に適応する自在継手構造を促進することができる。例え
ば、円錐台を、柄が接続される構造体に向かって軸方向に変位させることができる。
【００８４】
１つの形態では、非侵襲的患者インタフェース３０００は、使用時に患者の顔の上部唇
領域（すなわち、上唇）に対するシールを形成するシール形成部分を備えている。
【００８５】
１つの形態では、非侵襲的患者インタフェース３０００は、使用時に患者の顔の顎領域
に対するシールを形成するシール形成部分を備えている。
【００８６】
３．２  プレナムチャンバ３２００
好ましくは、プレナムチャンバ３２００は、使用時にシールが形成される領域において
平均的な人の顔の表面輪郭に対して相補的であるような形状の外周部３２１０を有してい
る。使用時、プレナムチャンバ３２００の周縁エッジ３２２０は、顔の隣接面に近接して
配置される。顔との実際の接触は、シール形成構造体３１００によって提供される。好ま
しくは、シール形成構造体３１００は、使用時にプレナムチャンバ３２００の外周部３２
１０全体に延在する。
【００８７】
３．３  位置決め及び安定化構造体３３００
好ましくは、本技術の患者インタフェース３０００のシール形成部分は、使用時に位置
決め及び安定化構造体３３００によって封止位置で保持される。
【００８８】
３．４  通気孔３４００
１つの形態では、患者インタフェース３０００は、吐き出される二酸化炭素のウォッシ
ュアウトを可能にするように構成され配置された通気孔３４００を含む。
【００８９】
本技術による通気孔３４００の１つの形態は、複数の孔、例えば、約２０〜約８０の孔
、又は約４０〜約６０の孔、又は約４５〜約５５の孔を備えている。
【００９０】
好ましくは、通気孔３４００は、プレナムチャンバ３２００に位置する。代替的に、通
気孔３４００は、分離構造体３５００、例えばスイベル３５１０に位置している。
【００９１】
３．５  分離構造体（複数の場合もある）３５００
１つの形態では、患者インタフェース３０００は、少なくとも１つの分離構造体３５０
０、例えばスイベル３５１０又はボールソケット３５２０を含む。
【００９２】
３．６  接続ポート３６００
接続ポート３６００が、空気回路４１７０への接続を可能にする。
【００９３】
３．７  額支持体３７００
１つの形態では、患者インタフェース３０００は額支持体３７００を含む。
【００９４】
３．８  窒息防止弁３８００
１つの形態では、患者インタフェース３０００は窒息防止弁３８００を含む。
【００９５】
３．９  ポート３９００
本技術の１つの形態では、患者インタフェース３０００は、プレナムチャンバ３２００
内の空間（volume）へのアクセスを可能にする１つ又は複数のポートを含む。１つの形態
では、これにより、臨床医が補助酸素を供給することが可能になる。１つの形態では、こ
れにより、圧力等、プレナムチャンバ３２００内のガスの特性を直接測定することが可能
になる。
【００９６】
４  ＰＡＰデバイス４０００
本技術の１つの態様による例示的なＰＡＰデバイス４０００は、機械部品及び空気圧部
品４１００、電気部品４２００を用いて形成することができ、１つ又は複数のアルゴリズ
ム４３００を実行するようにプログラムすることができる。このＰＡＰデバイスは、好ま
しくは、外部ハウジング４０１０を有する。外部ハウジング４０１０は、好ましくは、外
部ハウジング４０１０の上側部分４０１２及び外部ハウジング４０１０の下側部分４０１
４の２つの部分で形成される。代替の形態では、外部ハウジング４０１０は、１つ又は複
数のパネル４０１５を備えることができる。ＰＡＰデバイス４０００は、好ましくは、Ｐ
ＡＰデバイス４０００の１つ又は複数の内部部品を支持するシャーシ４０１６を備える。
１つの形態では、空気圧ブロック（pneumatic block）４０２０が、シャーシ４０１６に
よって支持されるか、又はその一部分として形成される。ＰＡＰデバイス４０００は、取
っ手４０１８を備えることができる。
【００９７】
ＰＡＰデバイス４０００の空気経路は、好ましくは、吸入口エアフィルタ４１１２、吸
入口マフラ４１２２、陽圧の空気を供給することが可能な制御可能圧力デバイス４１４０
（好ましくは、ブロワ４１４２）、及び放出口マフラ４１２４を備える。１つ又は複数の
圧力センサ及び流量センサが、空気経路に備えられる。
【００９８】
好適な空気圧ブロック４０２０は、空気経路のうちの、外部ハウジング４０１０内に位
置する部分を含む。
【００９９】
ＰＡＰデバイス４０００は、好ましくは、電源装置４２１０、１つ又は複数の入力デバ
イス４２２０、中央コントローラ４２３０、療法デバイスコントローラ４２４０、療法デ
バイス４２４５、１つ又は複数の保護回路４２５０、メモリ４２６０、トランスデューサ
４２７０、データ通信インタフェース４２８０、及び１つ又は複数の出力デバイス４２９
０を有する。電気部品４２００は、単一のプリント回路基板アセンブリ（ＰＣＢＡ）４２
０２上に実装することができる。代替の形態では、ＰＡＰデバイス４０００は、２つ以上
のＰＣＢＡ４２０２を備えることができる。
【０１００】
ＰＡＰデバイス４０００の中央コントローラ４２３０は、好ましくは前処理モジュール
４３１０、療法エンジンモジュール４３２０、圧力制御モジュール４３３０及びさらに好
ましくは故障状態モジュール４３４０を含む、１つ又は複数のアルゴリズムモジュール４
３００を実行するようにプログラムされる。
【０１０１】
４．１  ＰＡＰデバイスの機械部品及び空気圧部品４１００
４．１．１  エアフィルタ（複数の場合もある）４１１０
本技術の１つの形態によるＰＡＰデバイスは、１つのエアフィルタ４１１０、又は複数
のエアフィルタ４１１０を備えることができる。
【０１０２】
１つの形態では、吸入口エアフィルタ４１１２は空気経路の開始部において、ブロワ４
１４２の上流に位置している。図４ｂを参照されたい。
【０１０３】
１つの形態では、放出口エアフィルタ４１１４、例えば抗菌性フィルタは、空気圧ブロ
ック４０２０の放出口と患者インタフェース３０００との間に位置している。図４ｂを参
照されたい。
【０１０４】
４．１．２  マフラ（複数の場合もある）４１２０
本技術の１つの形態では、吸入口マフラ４１２２は、空気経路においてブロワ４１４２
の上流に位置している。図４ｂを参照されたい。
【０１０５】
本技術の１つの形態では、放出口マフラ４１２４は、空気経路においてブロワ４１４２
と患者インタフェース３０００との間に位置している。図４ｂを参照されたい。
【０１０６】
４．１．３  圧力デバイス４１４０
本技術の１つの例示的な形態では、陽圧の空気の流量を生成するための圧力デバイス４
１４０は、制御可能ブロワ４１４２である。例えば、このブロワは、ボリュート（volute
：渦巻き形室）内に収容された１つ又は複数のインペラを有するブラシレスＤＣモータ４
１４４を備えることができる。ブロワは、好ましくは、約４ｃｍＨ２Ｏ〜約２０ｃｍＨ２
Ｏの範囲、又は他の形態では約３０ｃｍＨ２Ｏまでの陽圧の空気の供給を、例えば約１２
０リットル／分で送達することが可能である。
【０１０７】
圧力デバイス４１４０は、療法デバイスコントローラ４２４０の制御を受けることがで
きる。
【０１０８】
４．１．４  トランスデューサ（複数の場合もある）４２７０
本技術の１つの形態では、１つ又は複数のトランスデューサ４２７０が、圧力デバイス
４１４０の上流に位置する。この１つ又は複数のトランスデューサ４２７０は、空気経路
のその地点における空気の性質を測定するように構成及び準備されている。
【０１０９】
本技術の１つの形態では、１つ又は複数のトランスデューサ４２７０は、圧力デバイス
４１４０の下流であって、空気回路４１７０の上流に位置する。この１つ又は複数のトラ
ンスデューサ４２７０は、空気経路のその地点における空気の性質を測定するように構成
及び準備されている。
【０１１０】
本技術の１つの形態では、１つ又は複数のトランスデューサ４２７０は、患者インタフ
ェース３０００に近接して位置する。
【０１１１】
４．１．５  アンチスピルバック弁（anti-spill back valve）４１６０
本技術の１つの形態では、アンチスピルバック弁が、加湿器５０００と空気圧ブロック
４０２０との間に位置している。このアンチスピルバック弁は、水分が加湿器５０００か
ら例えばモータ４１４４へ上流に向けて流れる危険性を低減するように構成及び準備され
ている。
【０１１２】
４．１．６  空気回路４１７０
本技術の一態様による空気回路４１７０は、空気圧ブロック４０２０と患者インタフェ
ース３０００との間での空気又は呼吸に適したガスの流れを可能にするように構成及び準
備されている。
【０１１３】
４．１．７  酸素送達
本技術の１つの形態では、補助酸素４１８０が、空気経路における或る地点に送達され
る。
【０１１４】
本技術の１つの形態では、補助酸素４１８０は、空気圧ブロック４０２０の上流に送達
される。
【０１１５】
本技術の１つの形態では、補助酸素４１８０は、空気回路４１７０に送達される。
【０１１６】
本技術の１つの形態では、補助酸素４１８０は、患者インタフェース３０００に送達さ
れる。
【０１１７】
４．２  ＰＡＰデバイスの電気部品４２００
４．２．１  基本ＰＡＰデバイス
ＰＡＰデバイス４０００等の幾つかの基本ＰＡＰデバイスは、本質的には処理機能を含
まない電気機械デバイスである。
【０１１８】
４．２．１．１  電源装置４２１０
電源装置４２１０は、基本ＰＡＰデバイス４０００の他の部品、すなわち入力デバイス
４２２０、中央コントローラ４２３０、療法デバイス４２４５及び出力デバイス４２９０
に電力を供給する。
【０１１９】
本技術の１つの形態では、電源装置４２１０は、ＰＡＰデバイス４０００の外部ハウジ
ング４０１０の内部にある。本技術の別の形態では、電源装置４２１０は、ＰＡＰデバイ
ス４０００の外部ハウジング４０１０の外部にある。
【０１２０】
４．２．１．２  入力デバイス（複数の場合もある）４２２０
入力デバイス４２２０は、人がＰＡＰデバイス４０００と対話するのを可能にするボタ
ン、スイッチ又はダイアルを含む。ボタン、スイッチ又はダイアルは、物理デバイス、又
はタッチスクリーンを介してアクセス可能なソフトウェアデバイスとすることができる。
ボタン、スイッチ又はダイアルは、１つの形態では、外部ハウジング４０１０に物理的に
接続することができ、又は別の形態では、中央コントローラ４２３０に電気的に接続され
る受信機と無線通信することができる。
【０１２１】
１つの形態では、入力デバイス４２２０を、人が値及び／又はメニューオプションを選
択するのを可能にするように構成及び配置することができる。
【０１２２】
４．２．１．３  中央コントローラ４２３０
本技術の１つの形態では、中央コントローラ４２３０は、入力デバイス４２２０から入
力信号（複数の場合もある）を受け取り、出力デバイス４２９０及び／又は療法デバイス
コントローラ４２４０に出力信号（複数の場合もある）を提供するように構成された専用
電子回路である。
【０１２３】
１つの形態では、中央コントローラ４２３０は、特定用途向け集積回路である。別の形
態では、中央コントローラ４２３０は、個別電子部品を備えている。
【０１２４】
４．２．１．４  療法デバイス４２４５
本技術の１つの形態では、療法デバイス４２４５は、中央コントローラ４２３０の制御
の下で患者１０００に療法を送達するように構成されている。好ましくは、療法デバイス
４２４５は、陽圧空気デバイス４１４０である。
【０１２５】
４．２．１．５  出力デバイス４２９０
本技術による出力デバイス４２９０は、視覚出力、音声出力及び触覚出力のうちの１つ
又は複数の形態をとることができる。視覚出力は、液晶ディスプレイ（ＬＣＤ）又は発光
ダイオード（ＬＥＤ）ディスプレイとすることができる。音声出力は、スピーカ又は音声
トーンエミッタとすることができる。
【０１２６】
４．２．２  マイクロプロセッサ制御ＰＡＰデバイス
４．２．２．１  電源装置４２１０
本技術の１つの形態では、電源装置４２１０は、ＰＡＰデバイス４０００の外部ハウジ
ング４０１０の内部にある。本技術の別の形態では、電源装置４２１０は、ＰＡＰデバイ
ス４０００の外部ハウジング４０１０の外部にある。
【０１２７】
本技術の１つの形態では、電源装置４２１０は、電力をＰＡＰデバイス４０００のみに
提供する。本技術の別の形態では、電源装置４２１０は、電力をＰＡＰデバイス４０００
及び加湿器５０００の双方に提供する。
【０１２８】
４．２．２．２  入力デバイス４２２０
本技術の１つの形態では、ＰＡＰデバイス４０００は、人がこのデバイスとインタラク
トすることを可能にするボタン、スイッチ、又はダイアルの形態の１つ又は複数の入力デ
バイス４２２０を備える。これらのボタン、スイッチ、又はダイアルは、物理デバイスと
することもできるし、タッチスクリーンを介してアクセス可能なソフトウェアデバイスと
することもできる。これらのボタン、スイッチ、又はダイアルは、１つの形態では、外部
ハウジング４０１０に物理的に接続することもできるし、別の形態では、中央コントロー
ラ４２３０に電気接続されている受信機と無線通信することもできる。
【０１２９】
１つの形態では、入力デバイス４２２０は、人が値及び／又はメニュー選択肢を選択す
ることを可能にするように構成及び準備することができる。
【０１３０】
４．２．２．３  中央コントローラ４２３０
本技術の１つの形態では、中央コントローラは、ｘ８６ＩＮＴＥＬプロセッサ等の、Ｐ
ＡＰデバイス４０００を制御するのに好適なプロセッサとすることができる。
【０１３１】
本技術の別の形態による、ＰＡＰデバイス４０００を制御するのに好適なプロセッサは
、ARM Holdings社が提供しているＡＲＭ  Ｃｏｒｔｅｘ−Ｍプロセッサに基づくプロセッ
サを含む。例えば、ST MICROELECTRONICS社が提供しているＳＴＭ３２シリーズのマイク
ロコントローラを用いることができる。
【０１３２】
本技術の更に代替の形態による、ＰＡＰデバイス４０００を制御するのに好適な別のプ
ロセッサは、ＡＲＭ９ベースの３２ビットＲＩＳＣ  ＣＰＵファミリから選択されたメン
バを含む。例えば、ST MICROELECTRONICS社が提供しているＳＴＲ９シリーズのマイクロ
コントローラを用いることができる。
【０１３３】
本技術の或る特定の代替の形態では、１６ビットＲＩＳＣ  ＣＰＵをＰＡＰデバイス４
０００用のプロセッサとして用いることができる。例えば、TEXAS INSTRUMENTS社によっ
て製造されたＭＳＰ４３０ファミリのマイクロコントローラからのプロセッサを用いるこ
とができる。
【０１３４】
プロセッサは、１つ又は複数のトランスデューサ４２７０及び１つ又は複数の入力デバ
イス４２２０から入力信号（複数の場合もある）を受信するように構成されている。
【０１３５】
プロセッサは、出力デバイス４２９０、療法デバイスコントローラ４２４０、データ通
信インタフェース４２８０、及び加湿器コントローラ５２５０のうちの１つ又は複数に出
力信号（複数の場合もある）を提供するように構成されている。
【０１３６】
プロセッサ、又は複数のそのようなプロセッサは、メモリ４２６０等のコンピュータ可
読記憶媒体に記憶されたコンピュータプログラムとして表された１つ又は複数のアルゴリ
ズム４３００等の本明細書において説明する１つ又は複数の方法論を実施するように構成
されている。幾つかの場合には、前に論述したように、そのようなプロセッサ（複数の場
合もある）は、ＰＡＰデバイス４０００と統合することができる。しかしながら、幾つか
のデバイスでは、プロセッサ（複数の場合もある）は、呼吸治療の送達を直接制御するこ
となく、本明細書において説明する方法論のうちの任意のものを実行する等の目的で、Ｐ
ＡＰデバイスの流量生成部品とは別個に実装することができる。例えば、そのようなプロ
セッサは、本明細書において説明するセンサのうちの任意のもの等からの記憶されたデー
タの解析によって、人工呼吸器又は他の呼吸関連事象の制御設定を求める目的で、本明細
書において説明する方法論のうちの任意のものを実行することができる。
【０１３７】
４．２．２．４  クロック４２３２
好ましくは、ＰＡＰデバイス４０００は、プロセッサに接続されたクロック４２３２を
備える。
【０１３８】
４．２．２．５  療法デバイスコントローラ４２４０
本技術の１つの形態では、療法デバイスコントローラ４２４０は、プロセッサによって
実行されるアルゴリズム４３００の一部分を形成する圧力制御モジュール４３３０である
。
【０１３９】
本技術の１つの形態では、療法デバイスコントローラ４２４０は、専用化されたモータ
制御集積回路である。例えば、１つの形態では、ONSEMI社によって製造されたＭＣ３３０
３５ブラシレスＤＣモータコントローラが用いられる。
【０１４０】
４．２．２．６  保護回路４２５０
好ましくは、本技術によるＰＡＰデバイス４０００は、１つ又は複数の保護回路４２５
０を備える。
【０１４１】
本技術による保護回路４２５０の１つの形態は、電気保護回路である。
【０１４２】
本技術による保護回路４２５０の１つの形態は、温度安全回路又は圧力安全回路である
。
【０１４３】
４．２．２．７  メモリ４２６０
本技術の１つの形態によれば、ＰＡＰデバイス４０００は、メモリ４２６０、好ましく
は不揮発性メモリを備える。幾つかの形態では、メモリ４２６０は、バッテリ駆動スタテ
ィックＲＡＭを含むことができる。幾つかの形態では、メモリ４２６０は、揮発性ＲＡＭ
を含むことができる。
【０１４４】
好ましくは、メモリ４２６０は、ＰＣＢＡ４２０２上に位置する。メモリ４２６０は、
ＥＥＰＲＯＭ又はＮＡＮＤフラッシュの形態とすることができる。
【０１４５】
付加的に又は代替的に、ＰＡＰデバイス４０００は、メモリ４２６０の着脱可能な形態
のもの、例えば、セキュアデジタル（ＳＤ）標準規格に従って作製されたメモリカードを
備える。
【０１４６】
本技術の１つの形態では、メモリ４２６０は、１つ又は複数のアルゴリズム４３００等
、本明細書に記載する１つ又は複数の方法を表すコンピュータプログラム命令が格納され
るコンピュータ可読記憶媒体として作用する。
【０１４７】
４．２．２．８  トランスデューサ４２７０
トランスデューサは、デバイスの内部に存在することもできるし、ＰＡＰデバイスの外
部に存在することもできる。外部のトランスデューサは、例えば、空気送達回路、例えば
患者インタフェースに位置することもできるし、その一部分を成すこともできる。外部の
トランスデューサは、データをＰＡＰデバイスに送信又は転送するドップラレーダ移動セ
ンサ等の非接触センサの形態とすることができる。
【０１４８】
４．２．２．８．１  流量
本技術による流量トランスデューサ４２７４は、差圧トランスデューサ、例えば、SENS
IRION社が提供しているＳＤＰ６００シリーズの差圧トランスデューサに基づくことがで
きる。この差圧トランスデューサは、空気圧回路と流体連通し、圧力トランスデューサの
それぞれのものは、流量制限要素におけるそれぞれの第１の地点及び第２の地点に接続さ
れる。熱線式空気流量センサ等の他の流量センサを実施することができる。
【０１４９】
使用時、流量トランスデューサ４２７４からの総流量Ｑｔを表す信号は、プロセッサに
よって受け取られる。
【０１５０】
４．２．２．８．２  圧力４２７２
本技術による圧力トランスデューサ４２７２は、空気圧回路と流体連通して位置してい
る。好適な圧力トランスデューサの一例は、HONEYWELL社のＡＳＤＸシリーズからのセン
サである。代替の好適な圧力トランスデューサは、GENERAL ELECTRIC社が提供しているＮ
ＰＡシリーズからのセンサである。
【０１５１】
使用中、圧力トランスデューサ４２７２からの信号は、プロセッサによって受信される
。１つの形態では、圧力トランスデューサ４２７２からの信号は、プロセッサによって受
信される前にフィルタリングされる。
【０１５２】
４．２．２．８．３  モータ速度４２７６
本技術の１つの形態では、モータ速度信号４２７６が生成される。モータ速度信号４２
７６は、好ましくは、療法デバイスコントローラ４２４０によって提供される。モータ速
度は、例えば、ホール効果センサ等の速度センサが生成することができる。
【０１５３】
４．２．２．９  データ通信システム
本技術の１つの好ましい形態では、データ通信インタフェース４２８０が設けられ、プ
ロセッサに接続される。データ通信インタフェース４２８０は、好ましくは、リモート外
部通信ネットワーク４２８２に接続可能である。データ通信インタフェース４２８０は、
好ましくは、ローカル外部通信ネットワーク４２８４に接続可能である。好ましくは、リ
モート外部通信ネットワーク４２８２は、リモート外部デバイス４２８６に接続可能であ
る。好ましくは、ローカル外部通信ネットワーク４２８４は、ローカル外部デバイス４２
８８に接続可能である。
【０１５４】
１つの形態では、データ通信インタフェース４２８０は、プロセッサの一部分である。
別の形態では、データ通信インタフェース４２８０は、プロセッサとは別個の集積回路で
ある。
【０１５５】
１つの形態では、リモート外部通信ネットワーク４２８２はインターネットである。デ
ータ通信インタフェース４２８０は、（例えば、イーサネット（登録商標）又は光ファイ
バを介した）有線通信、又は無線プロトコルを用いてインターネットに接続することがで
きる。
【０１５６】
１つの形態では、ローカル外部通信ネットワーク４２８４は、Ｂｌｕｅｔｏｏｔｈ（登
録商標）又は民生赤外線プロトコル等の１つ又は複数の通信標準規格を利用する。
【０１５７】
１つの形態では、リモート外部デバイス４２８６は、１つ又は複数のコンピュータ、例
えばネットワークコンピュータのクラスタである。１つの形態では、リモート外部デバイ
ス４２８６は、物理コンピュータではなく、仮想コンピュータとすることができる。いず
れの場合も、そのようなリモート外部デバイス４２８６は、臨床医等の適切に認可された
人にアクセス可能とすることができる。
【０１５８】
好ましくは、ローカル外部デバイス４２８８は、パーソナルコンピュータ、移動電話、
タブレット、又はリモコンである。
【０１５９】
４．２．２．１０  オプションのディスプレイ、アラームを備える出力デバイス
本技術による出力デバイス４２９０は、視覚ユニット、オーディオユニット、及び触覚
ユニットのうちの１つ又は複数の形態を取ることができる。視覚ディスプレイは、液晶デ
ィスプレイ（ＬＣＤ）又は発光ダイオード（ＬＥＤ）ディスプレイとすることができる。
【０１６０】
４．２．２．１０．１  ディスプレイドライバ４２９２
ディスプレイドライバ４２９２は、ディスプレイ４２９４上での表示を目的とした文字
、シンボル、又は画像を入力として受け取り、ディスプレイ４２９４にそれらの文字、シ
ンボル、又は画像を表示させるコマンドにそれらを変換する。
【０１６１】
４．２．２．１０．２  ディスプレイ４２９４
ディスプレイ４２９４は、ディスプレイドライバ４２９２から受信されたコマンドに応
答して文字、シンボル、又は画像を視覚的に表示するように構成されている。例えば、デ
ィスプレイ４２９４は、８セグメントディスプレイとすることができる。この場合、ディ
スプレイドライバ４２９２は、数字「０」等の各文字又は各シンボルを、８つのそれぞれ
のセグメントが特定の文字又はシンボルを表示するようにアクティブ化されるか否かを示
す８つの論理信号に変換する。
【０１６２】
４．３  ＰＡＰデバイスアルゴリズム４３００
４．３．１  前処理モジュール４３１０
本技術による前処理モジュール４３１０は、トランスデューサ、例えば流量トランスデ
ューサ又は圧力トランスデューサから未処理データ（生のデータ）を入力として受信し、
好ましくは、別のモジュール、例えば療法エンジンモジュール４３２０への入力として用
いられる１つ又は複数の出力値を計算する１つ又は複数のプロセスステップを実行する。
【０１６３】
本技術の１つの形態では、これらの出力値は、インタフェース圧力又はマスク圧力Ｐｍ
、呼吸流量Ｑｒ、及び漏れ流量Ｑｌを含む。
【０１６４】
本技術の様々な形態では、前処理モジュール４３１０は、次のアルゴリズム、すなわち
、圧力補償アルゴリズム４３１２、通気孔流量アルゴリズム（vent flow）４３１４、漏
れ流量アルゴリズム４３１６、呼吸流量アルゴリズム４３１８、及びジャミング検出４３
１９のうちの１つ又は複数を含む。
【０１６５】
４．３．１．１  圧力補償４３１２
本技術の１つの形態では、圧力補償アルゴリズム４３１２は、空気圧ブロックの放出口
に近接した空気経路における圧力を示す信号を入力として受信する。圧力補償アルゴリズ
ム４３１２は、空気回路４１７０における圧力降下を推定し、患者インタフェース３００
０における推定された圧力Ｐｍを出力として提供する。
【０１６６】
４．３．１．２  通気孔流量
本技術の１つの形態では、通気孔流量計算アルゴリズム４３１４は、患者インタフェー
ス３０００における推定された圧力Ｐｍを入力として受け取り、患者インタフェース３０
００における通気孔３４００からの空気の通気孔流量Ｑｖを推定する。
【０１６７】
４．３．１．３  漏れ流量
本技術の１つの形態では、漏れ流量アルゴリズム４３１６は、総流量Ｑｔ及び通気孔流
量Ｑｖを入力として受け取り、幾つかの呼吸サイクル、例えば約１０秒を含むように十分
長い期間にわたってＱｔ−Ｑｖの平均を計算することによって、漏れ流量Ｑｌを出力とし
て提供する。
【０１６８】
１つの形態では、漏れ流量アルゴリズム４３１６は、総流量Ｑｔ、通気孔流量Ｑｖ、及
び患者インタフェース３０００における推定された圧力Ｐｍを入力として受け取り、漏れ
コンダクタンスを計算するとともに漏れ流量Ｑｌを漏れコンダクタンス及びインタフェー
ス圧力Ｐｍの関数となるように求めることによって、漏れ流量Ｑｌを出力として提供する
。好ましくは、漏れコンダクタンスは、ローパスフィルタリングされた非通気孔流量Ｑｔ
−Ｑｖ及び圧力Ｐｍのローパスフィルタリングされた平方根の商として計算される。ここ
で、ローパスフィルタ時定数は、幾つかの呼吸サイクル、例えば約１０秒を含むように十
分に長い値を有する。
【０１６９】
４．３．１．４  呼吸流量
本技術の１つの形態では、呼吸流量アルゴリズム４３１８は、総流量Ｑｔ、通気孔流量
Ｑｖ、及び漏れ流量Ｑｌを入力として受け取り、通気孔流量Ｑｖ及び漏れ流量Ｑｌを総流
量Ｑｔから差し引くことによって患者への空気の呼吸流量Ｑｒを推定する。
【０１７０】
４．３．２  療法エンジンモジュール４３２０
本技術の１つの形態では、療法エンジンモジュール４３２０は、患者インタフェース３
０００における圧力Ｐｍ及び患者への空気の呼吸流量Ｑｒのうちの１つ又は複数を入力と
して受け取り、療法パラメータ決定プロセス４３２９において１つ又は複数の療法パラメ
ータを出力として提供する。
【０１７１】
本技術の１つの形態では、療法パラメータは、ＣＰＡＰ治療圧力Ｐｔである。
【０１７２】
本技術の１つの形態では、治療パラメータは、圧力指示レベル及び目標換気量のうちの
１つ又は複数である。
【０１７３】
４．３．２．１  位相決定
本技術の１つの形態では、ＰＡＰデバイス４０００は位相を決定しない。
【０１７４】
本技術の１つの形態では、位相決定アルゴリズム４３２１は、呼吸流量Ｑｒを示す信号
を入力として受け取り、患者１０００の呼吸サイクルの位相を出力として提供する。
【０１７５】
１つの形態では、位相出力は、吸息又は呼息のいずれかの値を有する離散変数である。
【０１７６】
１つの形態では、位相出力は、吸息、吸気中休止（mid-inspiratory pause）及び呼息
のうちの１つの値を有する離散変数である。
【０１７７】
１つの形態では、位相出力は、例えば０Ｐｉ〜１Ｐｉまたは０Ｐｉ〜２Ｐｉに変化する
連続変数である。
【０１７８】
１つの形態では、位相出力は、呼吸流量Ｑｒが正の閾値を超える正値を有するときに、
吸息の離散値を有するものとして求められる。１つの形態では、位相は、呼吸流量Ｑｒが
負の閾値よりも負である負値を有するとき、呼息の離散値を有するものとして求められる
。
【０１７９】
４．３．２．２  波形決定４３２２
本技術の１つの形態では、制御モジュール４３３０は、患者の呼吸サイクルを通してお
よそ一定の気道陽圧を提供するように療法デバイス４２４５を制御する。
【０１８０】
本技術の１つの形態では、制御モジュール４３３０は、圧力対位相の所定の波形に従っ
て気道陽圧を提供するように療法デバイス４２４５を制御する。１つの形態では、波形は
、位相の全ての値に対しておよそ一定のレベルで維持される。１つの形態では、波形は、
位相の幾つかの値に対して相対的に高い値を有し、位相の他の値に対して相対的に低いレ
ベルを有する矩形波である。
【０１８１】
本技術の１つの形態では、波形決定アルゴリズム４３２２は、現在の患者の換気量Ｖｅ
ｎｔを示す値を入力として受け取り、圧力対位相の波形を出力として提供する。
【０１８２】
４．３．２．３  換気量決定
本技術の１つの形態では、換気量決定アルゴリズム４３２３は、呼吸流量Ｑｒを入力と
して受け取り、患者換気量Ｖｅｎｔを示す測定値を求める。
【０１８３】
１つの形態では、換気量決定アルゴリズム４３２３は、患者換気量Ｖｅｎｔの現在値を
、呼吸流量Ｑｒのローパスフィルタリングされた絶対値の半分として求める。
【０１８４】
４．３．２．４  吸気流量制限の決定
本技術の１つの形態では、プロセッサは、吸気流量制限を検出する１つ又は複数のアル
ゴリズムを実行する。
【０１８５】
１つの形態では、吸気流量制限アルゴリズム４３２４は、呼吸流量信号Ｑｒを入力とし
て受け取り、呼吸の吸気部分が吸気流量制限を呈する程度の計量値を出力として提供する
。
【０１８６】
本技術の１つの形態では、各呼吸の吸気部分は、ゼロ交差検出器によって識別される。
時間点を表す複数の等間隔の点（例えば、６５個）が、各呼吸に対して吸気流量−時間曲
線に沿って補間器によって補間される。その後、それらの点によって描かれた曲線は、ス
ケーラによって、呼吸数及び深さが変化する影響を除去するように１長さ（unity length
）（持続時間／周期）及び１面積（unity area）を有するようにスケーリングされる。そ
して、スケーリングされた呼吸は、比較器において、図６ａに示す呼吸の吸気部分に類似
する、正常な閉塞されない呼吸を表す予め記憶されたテンプレートと比較される。検査要
素によって決定されるような、咳、吐息、嚥下及びしゃっくりによるもの等、吸気中の任
意の時点における、このテンプレートから指定された閾値（通常、１スケーリング単位）
を超えて逸脱する呼吸は、排除される。排除されないデータに対して、プロセッサにより
、先行する幾つかの吸気事象に対して、こうしたスケーリングされた第１の点の移動平均
が計算される。これは、第２のこうした点等に対して同じ吸気事象にわたって繰り返され
る。したがって、例えば、プロセッサにより６５個のスケーリングされたデータ点が生成
され、それらは、先行する幾つかの吸気事象、例えば３つの事象の移動平均を表す。（例
えば６５個の）点の連続的に更新される値の移動平均を、以降、Ｑｓ（ｔ）として示す「
スケーリング流量」と呼ぶ。代替的に、移動平均ではなく単一の吸気事象を利用すること
ができる。
【０１８７】
スケーリング流量から、部分閉塞の決定に関する２つの形状係数を計算することができ
る。
【０１８８】
形状係数１は、全て（例えば６５個）のスケーリング流量点の平均に対する中間（例え
ば３２個）のスケーリング流量点の平均の比率である。この比率が１を超えると、呼吸は
正常であるものと解釈される。比率が１以下である場合、呼吸は閉塞されているものと解
釈される。約１．１７の比率は、部分的に閉塞された呼吸と閉塞されていない呼吸との間
の閾値として解釈され、通常のユーザにおいて適切な酸素供給（oxygenation）の維持を
可能にする閉塞の程度に等しい。
【０１８９】
形状係数２は、中間（例えば３２個）の点にわたって取得される、単位スケーリング流
量からのＲＭＳ偏差として計算される。約０．２単位のＲＭＳ偏差は、正常であるものと
解釈される。ゼロのＲＭＳ偏差は、完全に流量制限された呼吸であるものとして解釈され
る。ＲＭＳ偏差がゼロに近づくほど、呼吸は、流量制限されるものとして解釈される。
【０１９０】
形状係数１及び２を、代替的に又は組み合わせて用いることができる。本技術の他の形
態では、サンプリングされた点、呼吸及び中間点の数は、上述したものから異なることが
できる。さらに、閾値を、記載したもの以外とすることができる。
【０１９１】
４．３．２．５  無呼吸及び呼吸低下の決定４３２５
本技術の１つの形態では、プロセッサは、無呼吸及び／又は呼吸低下の存在を決定する
１つ又は複数のアルゴリズムを実行する。
【０１９２】
好ましくは、１つ又は複数のアルゴリズムは、呼吸流量信号Ｑｒを入力として受け取り
、無呼吸又は呼吸低下が検出されたことを示すフラグを出力として提供する。
【０１９３】
１つの形態では、無呼吸は、呼吸流量Ｑｒの関数が、所定期間にわたって流量閾値未満
になるときに検出されたものとして述べる。関数は、ピーク流量、相対的に短期間の平均
流量、又は相対的に短期間の平均流量及びピーク流量の中間の流量、例えばＲＭＳ流量を
求めることができる。流量閾値を、流量の相対的に長期の測定値とすることができる。
【０１９４】
１つの形態では、呼吸低下は、呼吸流量Ｑｒの関数が、所定期間にわたって第２の流量
閾値未満になるときに検出されたものとして述べる。関数は、ピーク流量、相対的に短期
間の平均流量、又は相対的に短期間の平均流量及びピーク流量の中間の流量、例えばＲＭ
Ｓ流量を求めることができる。第２の流量閾値を、流量の相対的に長期の測定値とするこ
とができる。第２の流量閾値は、無呼吸を検出するために用いられる流量閾値より大きい
。
【０１９５】
４．３．２．６  いびきの判断
本技術の１つの形態では、プロセッサは、いびきの検出に対して１つ又は複数のいびき
アルゴリズムを実行する。
【０１９６】
１つの形態では、いびきアルゴリズム４３２６は、呼吸流量信号Ｑｒを入力として受け
取り、いびきが存在する程度の計量値を出力として提供する。
【０１９７】
好ましくは、アルゴリズム４３２６は、３０Ｈｚ〜３００Ｈｚの範囲の流量信号の強度
を求めるステップを含む。更に好ましくは、アルゴリズム４３２６は、背景騒音、例えば
ブロワからのシステム内の気流の音を低減するように呼吸流量信号Ｑｒをフィルタリング
するステップを含む。
【０１９８】
４．３．２．７  気道開通性の判断
本技術の１つの形態では、プロセッサは、気道開通性を判断する１つ又は複数のアルゴ
リズムを実行する。
【０１９９】
１つの形態では、気道開通性アルゴリズム４３２７は、呼吸流量信号Ｑｒを入力として
受け取り、約０．７５Ｈｚ及び約３Ｈｚの周波数範囲の信号のパワーを求める。この周波
数範囲におけるピークの存在は、開通気道を示すものとして解釈される。ピークの不在は
、閉鎖気道の指示であるものとして解釈される。
【０２００】
１つの形態では、ピークが求められる周波数範囲は、治療圧力Ｐｔにおけるわずかな強
制振動の周波数である。１つの実施態様では、強制振動は、振幅が約１ｃｍＨ２Ｏであり
周波数が２Ｈｚである。
【０２０１】
１つの形態では、気道開通性アルゴリズム４３２７は、呼吸流量信号Ｑｒを入力として
受け取り、心臓性信号の存在又は不在を求める。心臓性信号の不在は、閉鎖気道の指示と
して解釈される。
【０２０２】
４．３．２．８  治療圧力の決定
本技術の１つの形態では、プロセッサは、目標治療圧力Ｐｔを決定する１つ又は複数の
アルゴリズムを実行する。
【０２０３】
例えば、療法パラメータ決定プロセス４３２９は、以下のうちの１つ又は複数等の入力
を受け取る。
ｉ．呼吸位相の測定値
ｉｉ．波形
ｉｉｉ．換気量の測定値
ｉｖ．吸気流量制限の測定値
ｖ．無呼吸及び／又は呼吸低下の存在の測定値
ｖｉ．いびきの存在の測定値
ｖｉｉ．睡眠段階指示、及び
ｖｉｉｉ．気道の開通性の測定値。
【０２０４】
この処理は、流量制限、無呼吸、呼吸低下、開通性、睡眠段階及びいびきのうちの１つ
又は複数の指標又は測定値の関数として治療圧力Ｐｔを求めることができ、任意選択的に
、目標換気量決定プロセス４３２８からの目標換気量に依存することもできる。１つの実
施態様では、これらの測定値は、幾つかの先行する呼吸の集合ではなく単一の呼吸に基づ
いて求められる。
【０２０５】
４．３．３  制御モジュール４３３０
本技術の１つの態様による制御モジュール４３３０は、目標治療圧力Ｐｔを入力として
受け取り、その圧力を送達するように療法デバイス４２４５を制御する。
【０２０６】
本技術の１つの態様による制御モジュール４３３０は、ＥＰＡＰ圧力及びＩＰＡＰ圧力
を入力として受け取り、それらのそれぞれの圧力を送達するように療法デバイス４２４５
を制御する。
【０２０７】
４．３．４  故障状態の検出４３４０
本技術の１つの形態では、プロセッサは、故障状態を検出する１つ又は複数の方法を実
行する。好ましくは、１つ又は複数の方法によって検出される故障状態には、以下のうち
の少なくとも１つが含まれる。
・電力障害（無電力又は不十分な電力）
・トランスデューサ故障検出
・部品の存在の検出の失敗
・推奨範囲外の動作パラメータ（例えば、圧力、流量、温度、ＰａＯ２）
・検出可能なアラーム信号を生成する検査アラームの障害。
【０２０８】
故障状態を検出すると、対応するアルゴリズムが、以下のうちの１つまたは複数によっ
て故障の存在を通知する。
・可聴、視覚及び／又は運動（例えば振動）アラームの起動
・外部デバイスへのメッセージの送信
・出来事のログ記録
【０２０９】
４．３．５  療法デバイス４２４５
本技術の好ましい形態では、療法デバイス４２４５は、療法を患者１０００に送達する
ように制御モジュール４３３０の制御の下にある。
【０２１０】
好ましくは、療法デバイス４２４５は、陽圧空気デバイス４１４０である。
【０２１１】
５  加湿器５０００
５．１  加湿器
本技術の１つの形態では、通常貯水器及び加熱板を備えることができる加湿器５０００
が設けられている。
【０２１２】
６  睡眠段階モニタ
図７は、モニタリング実施形態例を示す図である。センサ、処理手段及び表示手段を、
モニタリング装置１００として示す１つのユニットにおいて具現化することができる。場
合によっては、検知モダリティは、完全に非接触とすることができ、被験者に向かって電
磁波を送信する手段を通して動作することができる。デバイスを、１．２ｍの距離以内の
移動に対して感応し、より離れた物体からの移動の検出を回避するように構成することが
できる。これにより、ベッドにいる別の人又はファン等の近くの移動する物体からの干渉
が最小限になることが確実になる。したがって、センサを、呼吸信号を更に導出するよう
に処理することができる。しかしながら、本技術のいくつかのバージョンでは、本明細書
にさらに記載するもののような他のセンサもまた、若しくは代替的に採用して、睡眠段階
の検出のための動き信号及び／又は呼吸信号を発生させることができる。
【０２１３】
１つの非接触検知実施形態では、使用される放射線はマイクロ波領域内であり、そこで
は、センサは、米国特許第６，４２６，７１６号に記載されているタイプのものであり、
その内容全体は、参照することによって本明細書の一部をなすものとする。
【０２１４】
別の実施形態では、放射線は、長時間のスタガパルス繰返し間隔（ＰＲＩ）送信パルス
を識別することによって合成される狭い仮想伝送パルスの形態である。こうしたセンサは
、米国特許第７，９５２，５１５号に記載されており、その内容全体は、参照することに
よって本明細書の一部をなすものとする。
【０２１５】
これらの無線周波数ベースのセンサが用いられる場合、それらは、送信機の位相空間に
おいて９０度離れた位置から観測される検出された動きを表すいわゆる直交信号Ｉ及びＱ
を生成する。この手法の利点は、動きの方向を求めるのに役立つことができ、システムの
全体的な感度を平滑化することもできるということである。
【０２１６】
概して、本技術の実施形態は、本明細書においてより詳細に記載するアルゴリズム／プ
ロセスを含むような特定の睡眠段階検出方法を実施するために、１つ又は複数のプロセッ
サを有するか、又は本明細書を通して記載するプロセッサのうちの任意のもの等、別の装
置のプロセッサを利用することができる、睡眠モニタリングデバイス又は装置を含むこと
ができる。したがって、デバイスまたは装置は、集積チップ、メモリ、及び／又は他の制
御命令、データ若しくは情報記憶媒体を含むことができる。たとえば、こうした検出方法
を包含するプログラムされた命令を、デバイス又は装置のメモリにおける集積チップにお
いてコード化して、１つ又は複数の特定用途向け集積チップ（ＡＳＩＣ）を形成すること
ができる。こうした命令をまた、若しくは代替的に、適切なデータ記憶媒体を用いてソフ
トウェア又はファームウェアとしてロードすることができる。したがって、プロセスを、
本方法を実行するように装置を制御するプロセッサ制御命令及びデータで具現化すること
ができ、かつ、汎用コンピュータによって使用されるソフトウェアの形態等、非一時的タ
イプの任意の適切なコンピュータ又は機械可読記録媒体に含めることができ、それにより
、汎用コンピュータは、ソフトウェアを汎用コンピュータにロードするときに、本明細書
に記載する方法のうちの任意のものに従って専用コンピュータとしての役割を果たすこと
ができる。
【０２１７】
図８は、睡眠段階の指標を生成する、システムによって実施されるプロセス及び／又は
処理手段（例えば、１つ又は複数のプロセッサ及び／又は処理回路）の一例を示す。セン
サは、身体の動きを表す少なくとも１つの信号２００を取得する。概して、この動きは、
呼吸努力又は心臓活動とともに、呼吸又は心臓機能に関連しない他の動きによる成分を含
む。本明細書を通して「体動」と呼ぶこうした全体的な身体の動きの例としては、寝返り
、けいれん、位置の調整等が挙げられる。これらの動きを示す信号を、無線周波数生体運
動センサによって提供することができるが、１つ又は複数の呼吸インダクタンス・プレチ
スモグラフィ、流量センサによって、センサフィルム若しくはセンサマットレスに埋め込
まれた圧力センサによって、生体インピーダンス測定システムによって、呼吸終末ＣＯ２
呼吸モニタによって、超音波センサによって、又は光センサによって取得することもでき
る。
【０２１８】
処理の初期ステップは、存在−不在検出器２０１を用いて人が存在するか又は不在であ
るかを判断することとすることができる。存在又は不在を判断する手段は、信号の振幅（
例えば、信号の二乗平均平方根（ＲＭＳ）値）の測定によることができ、又はセンサ（複
数の場合もある）の予測されるノイズフロアに対する信号のスペクトル成分を求める等、
より複雑な処理を伴うことができる。１つの実施形態では、処理は、国際公開第２００７
／１４３５３５号に記載されているような方法で行われ、その開示内容は、参照すること
によって本明細書の一部をなすものとする。別の実施形態では、動きの期間を、上述した
直交するＩ信号及びＱ信号の逆正接を取得することによって求めることができる。この場
合、結果としての信号は、正規化及び位相アンラッピングが正しく行われる場合、観察さ
れている対象の変位に直接関連する。変位信号が与えられると、その後、変位信号におけ
るエネルギーが設定閾値より大きいか否かを見ることにより、存在−不在を判断すること
ができる。
【０２１９】
処理の存在−不在検出器段階の出力は、「Ａ」が不在を表し、「Ｐ」が存在を表し、エ
ポックが３０秒等の固定期間を表すことができる場合、「ＡＡＡＡＰＰＰ」等のエポック
ラベルのシーケンスとすることができる。そして、信号は、動き検出器２０２に供給され
、動き検出器２０２は、何らかの動きが存在するか否か（通常、１秒等、より短い時間尺
度で）を求める。動きを決定する手段は、信号のレベル交差を計数することによるか、又
は信号の高周波数成分を測定することによることができる。こうした測定の詳細な方法は
、国際公開第２００７／１４３５３５号に記載されている。
【０２２０】
そして、各秒を、動きあり又は動きなしに関連付けることができる。各１秒動き検出器
の結果をエポックベースの活動カウンタ２０３に結合することができる。例えば、エポッ
クが３０秒であり、エポック内の各１秒間が動きを有する場合、そのエポックに対する全
体的な活動カウントは３０である。活動カウント計量値に、検出された動きの振幅も含め
ることもできる。活動カウントに基づいて、睡眠覚醒決定手段２０４は、活動カウントの
レベルに基づいてラベルを割り当てる（例えば、２０を超える活動カウントは覚醒エポッ
クとみなすことができる）。周囲のエポックの活動カウントもまた、この決定を行う際に
考慮することができる。後処理規則評価器２０５を更に用いて、例えばＷＡＫＥによって
包囲されるＳＬＥＥＰの単一の隔離されたエポックを除去することにより、睡眠／覚醒決
定の精度を向上させることができる。後処理規則の全体的な出力は、ラベルのシーケンス
（存在／不在検出器からの情報を結合することができる）とすることができ、「Ａ」が不
在を表し、「Ｗ」が覚醒を表し、「Ｓ」が睡眠を表す場合、「ＡＡＡＡＷＷＷＷＷＳＳＳ
ＳＳＳ」のようになることができる。
【０２２１】
睡眠／覚醒状態を決定することに平行して、睡眠段階を決定する更なる処理が実施され
る。呼吸解析ブロック２０６は、例えば、動き検出器２０２からの生入力信号をローパス
フィルタによってフィルタリングすることにより、呼吸信号の質を向上させる。動き検出
器２０２からの情報を用いて、呼吸解析はまた、呼吸数推定に対して信頼性が低いものと
して信号のいくつかの部分をラベル付けすることもできる。例えば、信号が、大きい動き
の指示を含むものと判断される場合、信号をそのようにマークすることができ、そのため
、その信号を、呼吸数推定計算において避けることができる。呼吸数計算器２０７を用い
て、例えば、呼吸／分で又はＨｚで人の呼吸数が求められる。呼吸数を、パワースペクト
ル密度推定を用いて、又は信号の自己回帰モデルを用いて計算することができる。こうし
た計算の詳細な方法は、国際公開第２００７／１４３５３５号に記載されている。計算は
、例えば、エポックごとに、又は代替的により短い時間尺度（例えば、１回／秒）で、呼
吸数の推定値を提供する。これらの呼吸数は、呼吸数を用いて睡眠段階を決定することが
できる睡眠段階決定手段２０８に提供される。例えば、１つの実施形態では、呼吸数を用
いて、深い睡眠（段階Ｎ３）が睡眠の他のすべての段階（Ｎ１、Ｎ２及びレム）から識別
される。呼吸の相対振幅を求めて睡眠段階決定に用いることもできる。
【０２２２】
説明の目的で、図９は、図８からの呼吸数（呼吸速度）計算２０７の出力例を示す。こ
こでは、信号をいかにエポック（この場合は３０秒）で考慮することができるかと、各エ
ポックがそれに関連する単一の呼吸数をいかに有することができるかと、を示す。例えば
、各呼吸数は、エポックの最大パワースペクトル密度に関連する割合である。エポックを
、適切なラベル、例えばＥｐｏｃｈ  Ｎ、Ｎ＋１等で逐次識別することができる。図では
、Ｅｐｏｃｈ  Ｎ−５は、１５呼吸／分の速度を有し、Ｎ−４は、１４．５呼吸／分の速
度を有する等である。また、例示的な点として、呼吸解析ブロック２０６は、Ｅｐｏｃｈ
Ｎ−１が、信頼性の高い呼吸数を提供することができないような十分に大きい動きを有
すると判断している。こうした場合、エポック速度は、それが「利用できない」又は「数
ではない」等を表すラベル等により、適切に識別することができる。
【０２２３】
図１０は、図８からの睡眠段階決定手段２０８の処理方法の具体的な実施形態をより詳
細に示す。動作の全体的な原理は、呼吸数が十分に安定しているエポックのシーケンスを
求めることである。全体的な記録に対するＳＬＥＥＰ／ＷＡＫＥラベルの組が、プロセス
アルゴリズムに入力される。変数「ＣＵＲＲＥＮＴ  ＥＰＯＣＨ」を一連のエポックにお
ける第１のエポックであるように割り当てる（３０１）ことによって、処理を開始するこ
とができる。
【０２２４】
そして、処理は、３０２において、ＣＵＲＲＥＮＴ＿ＥＰＯＣＨが高振幅信号を有する
（優れた信号品質を表す）か否かを判断する。信号品質が優れている場合、アルゴリズム
は、呼吸数の推定において非常に自信を持つことができる。したがって、信号品質を、安
定閾値の設定に対して、呼吸数の変動を測定するために評価することができる。この実施
形態では、例えば、４０ｍＶを超える平均信号振幅（３０２、３０３、３０４）は、高品
質信号を示し、この場合、例えば、０．５呼吸／分の閾値を設定することができる。信号
の品質がより低い状況では、閾値を、許容される呼吸数変動に対して、例えば１．５呼吸
／分等、より寛大な限界に設定することができる。こうしたプロセス（３０２）は、現エ
ポックの二乗平均平方根（ＲＭＳ）解析を使用することができる。
【０２２５】
そして、プロセスは、呼吸数範囲を計算し評価する（３０５〜３０８）。例えば、ＣＵ
ＲＲＥＮＴ＿ＥＰＯＣＨとＬＩＧＨＴ＿ＳＬＥＥＰとして識別される（例えばラベル付け
される）最後のエポックとの間の全てのエポックの呼吸数の最小値及び最大値を見つける
ことにより、呼吸数範囲を求めることができる。例えば、最後のＬＩＧＨＴ＿ＳＬＥＥＰ
が、呼吸数が１４．２ＢＰＭであるエポックＮ−６であり、エポック［Ｎ−５，Ｎ−４，
…，Ｎ］が呼吸数＝［１４．４，１４．８，１５．１，１４．９，１４．７，１４．６］
を有していた場合、呼吸数範囲は（１５．１−１４．４）＝０．７呼吸／分である。ＢＲ
ＥＡＴＨＩＮＧ＿ＲＡＴＥ＿ＲＡＮＧＥが安定閾値未満である場合、現エポックは、深い
睡眠としてラベル付けされる（任意選択的に、「Ｄ」ラベルで表すことができる）（３０
８）。代替的に、ＢＲＥＡＴＨＩＮＧ＿ＲＡＴＥ＿ＲＡＮＧＥが安定閾値より大きい場合
、現エポックは浅い睡眠としてラベル付けされる（任意選択的に、「Ｌ」ラベルで表すこ
とができる）（３０７）。ＤＥＥＰ＿ＳＬＥＥＰの非常に短いシーケンスは比較的珍しく
はないため、アルゴリズムはまた、一続きの４つ以下の深い睡眠エポックがある場合を排
除する（３０９、３１０）。これは、ＬＩＧＨＴ＿ＳＬＥＥＰエポックに遭遇した場合に
、以前のＤＥＥＰ＿ＳＬＥＥＰエポックの現シーケンス長を検査することによって行われ
る。最後のＬＩＧＨＴ＿ＳＬＥＥＰエポック以来、４つ以下の先行するＤＥＥＰ＿ＳＬＥ
ＥＰのエポックに遭遇した場合、これらのエポックラベルはＬＩＧＨＴ＿ＳＬＥＥＰに変
換される（３１０）。この状態により、５未満のＤＥＥＰ＿ＳＬＥＥＰカウントで終了す
ることが不可能になるため、こうした場合、デフォルトとして、アルゴリズムは最後の４
つのエポックに対してＷＡＫＥラベル又はＳＬＥＥＰラベルを受け入れる（３１１−３１
３）（ＳＬＥＥＰは自動的にＬＩＧＨＴ＿ＳＬＥＥＰとして扱われる）。
【０２２６】
上述した実施形態のさらなる任意選択的な精緻化として、「安定した呼吸」に対する安
定閾値を、被験者ごとに精緻化することができる。例えば、デフォルト解析は、０．５呼
吸／分の安定閾値を用いることができるが、この閾値が、深い睡眠の持続時間に対して生
理学的に妥当ではない値（例えば、４０％を超えるか又は５％未満）を生成する場合、そ
の閾値を、より適切な値に適応的に変更することができる。
【０２２７】
呼吸数変動及び振幅に基づいて睡眠段階を決定する代替的な実施形態を図１１に示す。
このプロセスは、呼吸数及び振幅の変動がレム睡眠を識別する役割を果たすことができる
という観察に基づく。呼吸数の変動が比較的大きい期間は、レム睡眠期間の指示としてみ
なされる。呼吸数の変動が比較的小さい期間は、深い睡眠の状態に関連するものとしてみ
なされる。時系列の変動を評価する１つの実施形態は、近似エントロピーである。近似エ
ントロピーは、予測可能な時系列に対して相対的に低い値を想定し、時間系列がより可変
になるほど、相対的に高い値を想定する。この実施形態では、信号２００（生の動き信号
）は、呼吸解析ブロック５０１に入力される。この呼吸解析ブロックは、例えば、１秒時
間尺度での連続的な呼吸数及び呼吸振幅推定値（出力のサンプルグラフを図１２に示す）
を出力する。
【０２２８】
そして、呼吸数は、２つの処理ブロック（５０２、５０３）にセグメント（通常、５分
の持続時間）で入力される（例えば、呼吸数の３００のサンプルが、「近似エントロピー
ブロック」５０２及び「パワースペクトル密度」５０３とラベル付けされたブロックに渡
される）。近似エントロピーは、信号の予測可能性（すなわち変動性）を評価する既知の
技法であり、例えば、http://en.wikipedia.org/wiki/Approximate_entropyに記載されて
いる。ブロックは、信号のその部分の近似エントロピーである、入力された各５分エポッ
クに対する単一の数を出力する。例えば、呼吸数の５分セグメントの近似エントロピーを
、５０２において、例えば埋込次元に対してｍ＝２及びｍ＝３のパラメータと０．２に等
しいｒの値とを用いて、計算することができる。パワースペクトル密度（ＰＳＤ）処理ブ
ロック５０３は、適切な技法（例えば、Welchの平均ペリオドグラム（periodogram）、ht
tp://en.wikipedia.org/wiki/Welch's_methodを参照されたい）を実施することによる等
、呼吸数のパワースペクトル密度を推定する。５０３におけるＰＳＤ推定は、３つの測定
値、すなわち、ＰＳＤの勾配、呼吸数変動の正規化された高周波パワー、及び呼吸数変動
の低周波パワーを生成することができる。呼吸振幅信号は、パワースペクトル密度処理ブ
ロック（例えば、５０３）に入力することもでき、Ｌｏｗ  Ｆｒｅｑｕｅｎｃｙ（ＬＦ）
パワー推定値を出力する。処理ブロック（５０２、５０３及び５０４）から計算された値
は分類器に入力される。そして、分類器は、それらを結合して、後に睡眠段階を深い睡眠
、浅い睡眠又はレムとして推定するために用いられる数を生成することができる。例えば
、数は、分類器に対して内部とする（例えば、分類器によって生成される）ことができ、
判別値とすることができる。場合によっては、分類器内の値の結合を、線形式に行うこと
ができる。例えば、判別値は、ブロック５０２〜５０４から出力された値の線形重み付き
結合とすることができる。場合によっては、分類器によって生成される値は、より複雑な
非線形結合（５０２〜５０４から出力された値の二乗値を結合することによって導出され
た値等）とすることができる。そして、分類器は、そこから適切な睡眠ラベル（例えば、
Ｎ１、Ｎ２、Ｎ３、ＲＥＭ又はＷから引き出される）を生成することができる。
【０２２９】
場合によっては、呼吸数の短期相関及び長期相関を評価するように、トレンド除去変動
解析法を実施することができる。こうした処理ブロックは、短期相関及び長期相関を取得
するように実施することもできる呼吸数のパワースペクトル密度処理に対する代替物とし
ての役割を果たすことができる。トレンド除去変動解析法による処理を、Heneghan及びMc
Darbyによって「Establishing the relation between detrended fluctuation analysis 
and power spectral density analysis for stochastic processes」（Phys Rev E Stat 
Phys Plasmas Fluids Relat Interdiscip Topics. 2000 Nov;62(5 Pt A):6103-10）に記
載されている方法によって実施することができる。
【０２３０】
図１２は、図１１の呼吸解析処理ブロックによって生成することができる呼吸数信号及
び正規化された呼吸振幅信号の一例を示す。呼吸数信号を、図１２の上のグラフに示す。
信号の欠測期間（不連続）は、信頼性の高い呼吸数推定に対して不連続の間、信号品質が
不十分であったことを示す。正規化された呼吸振幅信号を、図１２の下のグラフに示す。
それもまた、信号品質が信頼性の高い呼吸振幅推定に対して不十分である場合を示す、信
号の不連続期間を有している。いくつかのバージョンでは、生信号２００を呼吸数範囲信
号にフィルタリングし、その後、ヒルバート変換を適用することによって、呼吸数振幅信
号を得ることができる。代替的に、呼吸数振幅信号を、ピーク検出及び／又は包絡線検出
処理技法等の呼吸数推定におけるピークの振幅から取得することができる。
【０２３１】
図１３は、図１１の処理部品に関して上述した中間処理のいくつかを示す。図１３の上
のグラフにおいて、呼吸数の５分間のセグメントのパワースペクトル密度推定値が、対数
−対数プロットにグラフ化されている。ブロック５０２において、呼吸数信号のデータを
処理して、勾配を検出するためにデータに線（図１３の上のグラフにおいて「ＬＡ」とラ
ベル付けされた線として示す）を適合することができ、その後、処理ブロックからこの適
合された線の勾配データが出力される。これは、呼吸変動の長期制御及び短期制御の生理
学的観測に基づく（Rostig S; Kantelhardt JW; Penzel T他、「Nonrandom variability 
of respiration during sleep in healthy humans.」SLEEP 2005;28(4):411-17を参照さ
れたい）。図１３の下のグラフでは、呼吸数の５分間のパワースペクトル密度が、片対数
尺度で示されている。パワーが、種々の周波数で表されている。呼吸数変動の「ＨＩＧＨ
ＦＲＥＱＵＥＮＣＹ（高周波数）」（「ＨＦ］としてラベル付けされる）パワーを、０
．１Ｈｚ〜０．５ＨｚのＰＳＤの積分によって求めることができる。これを、信号のパワ
ー全体で割ることによって正規化することができる。「ＬＯＷ−ＦＲＥＱＵＥＮＣＹ（低
周波数）」（「ＬＦ」として示す）パワーを、０Ｈｚと０．１Ｈｚとの間のパワーとして
定義することができる。
【０２３２】
図１１の分類器ブロック５０５の番号が付された出力（例えば、判別値）のスケーリン
グされたものの概略表現を図１４に示す。相対的に平滑な中断されていない線は、番号が
付された出力（「ＮＯ」としてラベル付けされている）のスケーリングされたものを表す
。呼吸数（「ＢＲ」としてラベル付けされている）は、画像においてより変動する線とし
て視覚化されている。閾値（「ＴＨＬＤ」としてラベル付けされている）を、指定された
期間中の睡眠を分類するための番号が付された出力と比較することができる。こうした値
の一例は、１３呼吸／分の値のわずかに下の呼吸数軸と交差する直線水平線によって示さ
れている。その期間に対する分類器ブロックの番号が付された出力が所定閾値を超える場
合、それぞれの期間を、レム睡眠期間として分類することができる。代替的に、その期間
に対する分類器ブロック出力が所定閾値未満である場合、それぞれの期間を、深い睡眠の
期間として分類することができる。これは、図１０に関して記載したものに対する、深い
睡眠として期間を分類する代替方法とすることができるが、任意選択的に、レム睡眠及び
／又は深い睡眠を検出するための追加の／それと結合された検査としての役割も果たすこ
とができる。
【０２３３】
図１５は、任意選択的に色分けされるか又は陰影がつけられたバー（例えば、垂直）を
使用することができる、ユーザに対する睡眠段階の時間過程の表示を示す。例では、主軸
（時間を表す）の上方に伸びるバーは、覚醒状態の指示としてみなすことができる。軸の
下方に伸びるバーは、睡眠状態の指示としてみなすことができる。バーの振幅は、睡眠の
段階に対応することができる。例えば、最短バーは、浅い睡眠を示すものとしてみなすこ
とができ、中間長バーは、深い睡眠を示すものとしてみなすことができ、最長バーは、レ
ム睡眠を示すものとしてみなすことができる。
【０２３４】
図１６は、本技術の別の例としての睡眠段階モニタリング装置１００の更なるプロセス
を示す。この例では、上述しかつ非接触センサを含むセンサ等、センサ１６０１又は複数
のセンサが、複数の信号を発生させる。例えば、モニタデバイス（例えば、ベッドサイド
デバイス又は呼吸治療デバイス）のセンサは、センサに近接するユーザに対応する４つの
信号を生成することができる。例では、２つの信号は、ユーザの動きを表すことができ、
２つの信号は、ユーザの呼吸を表すことができる。そのデータを、サンプリング（例えば
、６４Ｈｚ又は他の適切なサンプリングレート）によって４つの信号チャネルの各々から
生成することができる。
【０２３５】
そして、センサのデータ信号を、窓及びチャネル選択器１６０２によって処理されるよ
うに入力することができる。この処理では、呼吸チャネルの各々を、帯域内呼吸パワーに
対して解析することができる。したがって、選択器は、各チャネル帯域内呼吸パワーに対
して決定する。そして、選択器は、特定のエポック（例えば、３０秒又は他の事前設定さ
れた長さ）に対する最大帯域内パワー等、最大帯域内呼吸パワーを有するチャネルを選択
する。そして、選択器は、選択されたチャネルから３つのエポック（例えば、各々が３０
秒）の窓を出力し、その窓は、呼吸パワーの評価の結果として選択器によって選択された
特定のエポックに中心が置かれている。一例では、帯域内呼吸パワー評価を、呼吸に起因
する１つ又は複数の周波数での各エポックのスペクトル解析処理によって実施することが
できる。
【０２３６】
そして、選択器からの窓化データを、ウェーブレット変換器１６０４によって処理され
るように入力することができる。例えば、深さ５の離散ウェーブレット変換を、窓化エポ
ックデータに対して行うことができる。このプロセスに対する適切なフィルタバンクを選
択することができる。たとえば、双直交６．８（ｂｉｏｒ６．８）ウェーブレットを実施
することができる。こうしたフィルタバンクを、関連するウェーブレットが呼吸サイクル
を近似するように選択することができる。こうした場合、フィルタバンクに関連するフィ
ルタは対称とすることができる（線形位相もそうである）。解析フィルタ及び合成フィル
タは、およそ同じ長さとすることができ、ウェーブレット係数がウェーブレット領域にお
いて平滑化されるのを確実にするのに十分長い。こうしたアルゴリズム／処理方法のハー
ドウェア実施態様は十分に理解される。別の適切なウェーブレットフィルタバンクは、通
常指紋圧縮で実施される任意のものとすることができる。
【０２３７】
そして、ウェーブレット処理から出力される変換されたデータを、ウェーブレット詳細
抽出器１６０６によって処理されるように入力することができる。このプロセスでは、ウ
ェーブレット詳細係数が抽出され、ウェーブレット変換の最高レベルで再構築される。こ
れらの詳細は、３つのエポック窓（例えば、９０秒間）のいずれの部分が高エネルギーを
有するかを明らかにすることができる。こうした高エネルギーを、多数の動きノイズを有
する場合がある信号の部分に関連付けることができる。
【０２３８】
そして、抽出された詳細係数は、マスク構築器１６０８に入力される。このプロセスで
は、バイナリマスクが、ウェーブレット詳細を用いて構築される。例えば、サンプル毎の
パワーの二乗平均平方根（「ＲＭＳ」）平均を計算することができる。任意のサンプルに
おけるパワーが、窓化間隔（例えば、９０秒間隔）にわたるサンプル毎の平均パワーより
著しく大きい場合、バイナリマスクのその部分はゼロ（０）に設定され、そうでない場合
は、そのサンプルに対するマスク値は１に設定される。その後、孤立した又は隔離された
１（例えば、０１０）及びゼロ（例えば、１０１）は、それらを反転させることによって
マスクから平滑化によって除去される。
【０２３９】
そして、このバイナリマスクは、信号のいずれの部分が多数のノイズを含んでいるかと
いうことに対して、解析すべき信号の部分を判断するマップとしての役割を果たす。
【０２４０】
ウェーブレット処理から出力された変換データを、ウェーブレットノイズ除去器１６１
０によって処理されるように入力することもできる。これは、変換データを処理して信号
に対してノイズ除去する。例えば、プロセスは、ウェーブレット分解のすべてのレベルに
わたるウェーブレット係数を閾値化し、その後、信号を再構築することができる。１つの
こうした変形では、窓化信号のパワーの或る割合あたりで設計されるグローバル閾値化機
構を実施することができる。
【０２４１】
そして、バイナリマスク及びノイズ除去信号は、マスク信号適用器１６１２に入力され
る。マスク信号適用器の処理では、バイナリ信号マスクが検査されて、ノイズ除去信号が
評価される。評価は、所望の長さ（例えば３０秒）より長いノイズ除去信号の最長部分を
識別する。そして、ノイズ除去信号の識別された部分が、特徴抽出のために出力される。
【０２４２】
そして、ノイズ除去器１６１０からのノイズ除去ウェーブレット信号とマスク信号適用
器１６１２からのノイズ除去ウェーブレット信号の識別された部分とが、ウェーブレット
特徴抽出器１６１４に出力される。抽出器の処理は、ノイズ除去ウェーブレット信号の部
分から１つ又は複数の特徴を求める。例えば、最高ウェーブレット詳細（例えば、呼吸帯
域のすぐ上の帯域）のパワーが計算される。同様に、近似係数におけるパワーを計算する
ことができる。そして、抽出された特徴は、睡眠段階分類器１６２２に出力される。
【０２４３】
ノイズ除去ウェーブレット信号を、呼吸解析器１６１５によって処理されるように入力
することもできる。こうした処理は、ピーク及び交差検出器１６１６等によるピーク及び
ゼロ交差の検出を含むことができる。例えば、ピーク及び交差検出器１６１６の処理は、
信号のゼロ交差を抽出することを含むことができる。さらに、連続したゼロ交差の各対に
対する最大及び最小を計算することができる。ピーク及び交差検出器からの抽出されたデ
ータを用いて、呼吸解析器１６１５は、入力データを更に処理して、間隔及び振幅検出器
１６１８において呼吸間隔及び振幅を抽出することができる。例えば、ゼロ交差及びピー
クを用いて、所与の窓における各呼吸に対して、呼吸間隔及び振幅が計算される。最後に
、所与の窓からの呼吸間隔及び振幅を用いて、呼吸統計量計算器１６２０において呼吸統
計量を求めることができる。例えば、所与の窓からの呼吸間隔及び振幅測定値に関するこ
うした統計量は、平均及び／または分散を含むことができる。他の適切な呼吸計量値も計
算することができる。入力窓に対するこうした計量値（複数の場合もある）は、所与のエ
ポック（例えば３０秒）の睡眠段階を決定するための特徴（複数の場合もある）としての
役割を果たすことができる。したがって、計量値を、睡眠段階分類器１６２２に入力する
ことができる。
【０２４４】
したがって、睡眠段階分類器１６２２は、入力特徴（例えば、ウェーブレット特徴及び
呼吸特徴）を処理して、睡眠段階を検出する。例えば、こうした分類器は、入力パラメー
タを分類する規則ベースの処理システムとすることができる。場合によっては、分類器は
、睡眠段階を検出するために関数ライブラリ１６２４からの入力を含むことができる。ラ
イブラリは、非ウェーブレットベースの処理を用いること等によって、エポックごとに、
動き、活動カウント、及び呼吸数を推定するように、１つ又は複数の検知された信号に対
して信号処理を提供することができる。こうした処理の一例は、国際公開第２００７／１
４３５３５号（Heneghan他）に記載されており、その開示内容は、参照することによって
本明細書の一部をなすものとする。
【０２４５】
場合によっては、睡眠段階分類器１６２２は、線形判別解析（ＬＤＡ）システムを含む
ことができる。そして、規則ベースのシステムが、ＬＤＡに対する重要な判別パラメータ
を特定することができる。
【０２４６】
場合によっては、睡眠段階分類器１６２２から出力される睡眠段階データを、パターン
検出器１６２８に更に入力することができる。パターン検出器は、パターン及び傾向解析
を行うために、所与の夜（例えば、複数のエポック）に対するデータの全て等、睡眠段階
データを処理することができる。解析は、明確に誤ったあらゆる分類を除去する役割を果
たすことができる。たとえば、こうしたパターン解析は、覚醒、レム及び覚醒の連続した
３つのエポック指示（ＷＲＷ）を検出し補正して、中間レムエポックを除去するか又は再
分類することができる。
【０２４７】
概して、図１６においてすべての要素１６０２〜１６２８によって示す処理ステップは
、１つ又は複数のデバイスに位置することができる１つ又は複数のプロセッサにおいて実
施され、１つ又は複数のデバイスのうちの少なくとも１つは、ベッドサイドユニット、ユ
ーザの付近に位置する携帯型モバイルデバイス、又はユーザから遠隔に位置するサーバと
することができる。
【０２４８】
任意選択的に、最終的な出力を、覚醒段階、浅い睡眠段階、深い睡眠段階及びレム睡眠
段階の４つの睡眠段階に対する睡眠図として生成することができ、適切なディスプレイで
ユーザに提示することができる。更なる例として、出力を、図１５に示すようにチャート
フォーマットで生成することができる。場合によっては、不在状態（すなわち、人が存在
しない）を、ＢＳＰ睡眠覚醒ライブラリによって決定し、モニタによって出力することも
できる。
【０２４９】
用語解説
本技術を開示するために、本技術の幾つかの形態では、以下の定義のうちの１つ又は複
数を適用することができる。本技術の他の形態では、代替の定義を適用することができる
。
【０２５０】
６．１  通則
空気：本技術の幾つかの形態では、患者に供給される空気は、大気の空気とすることが
でき、本技術の他の形態では、大気の空気には、酸素を補うことができる。
【０２５１】
持続気道陽圧（ＣＰＡＰ）：ＣＰＡＰ治療は、大気に対して連続して陽圧で、好ましく
は患者の呼吸サイクルを通じてほぼ一定の圧力で、空気又は呼吸に適したガスの供給を気
道の入口に適用することを意味するものとされる。幾つかの形態では、気道の入口におけ
る圧力は、単一の呼吸サイクル内で数水柱センチメートルだけ変動し、例えば、吸息中は
高くなり、呼息中は低くなる。幾つかの形態では、気道の入口における圧力は、呼息中は
僅かに高くなり、吸息中は僅かに低くなる。幾つかの形態では、圧力は、患者の呼吸サイ
クルごとに変動し、例えば、部分的上気道閉塞の指標の検出に応答して増加され、部分的
上気道閉塞の指標が存在しない場合には減少される。
【０２５２】
６．２  ＰＡＰデバイスの態様
空気回路：ＰＡＰデバイスと患者インタフェースとの間の空気又は呼吸に適したガスの
供給を送達するように使用時に構成及び準備された導管又はチューブである。特に、空気
回路は、空気圧ブロック及び患者インタフェースの放出口と流体接続することができる。
空気回路は、空気送達チューブと呼ばれる場合がある。幾つかの場合には、吸息用及び呼
息用に回路の別々のリムが存在する場合がある。他の場合には、単一のリムが用いられる
。
【０２５３】
ＡＰＡＰ：自動気道陽圧である。ＳＤＢ事象の指標の存否に応じて最小限度と最大限度
との間で絶えず調整可能な気道陽圧である。
【０２５４】
ブロワ又は流れ発生器：周囲圧力を超える圧力で空気の流れを送達するデバイスである
。
【０２５５】
コントローラ：入力に基づいて出力を調整するデバイス、又はデバイスの一部分である
。例えば、コントローラの１つの形態は、デバイスへの入力を構成する、制御を受ける変
数、すなわち制御変数を有する。デバイスの出力は、制御変数の現在の値とその変数の設
定点との関数である。サーボ人工呼吸器は、入力として換気量を有し、設定点として目標
換気量を有し、出力として圧補助のレベルを有するコントローラを備えることができる。
入力の他の形態は、酸素飽和度（ＳａＯ２）、二酸化炭素の分圧（ＰＣＯ２）、運動、光
プレチスモグラムからの信号、及びピーク流量のうちの１つ又は複数とすることができる
。コントローラの設定点は、固定されたもの、可変のもの、又は学習されたもののうちの
１つ又は複数とすることができる。例えば、人工呼吸器における設定点は、患者の測定さ
れた換気量の長期平均とすることができる。別の人工呼吸器は、時間とともに変化する換
気設定点を有することができる。圧力コントローラは、特定の圧力で空気を送達するよう
にブロワ又はポンプを制御するように構成することができる。
【０２５６】
療法：本文脈における療法は、陽圧療法、酸素療法、二酸化炭素療法、死腔の制御、及
び薬の投与うちの１つ又は複数とすることができる。
【０２５７】
モータ：電気エネルギーを部材の回転運動に変換するためのデバイスである。本文脈に
おいて、この回転部材は、回転軸に沿って移動する空気に圧力増加を与えるように、所定
の位置において固定軸の回りを回転するインペラである。
【０２５８】
気道陽圧（ＰＡＰ）デバイス：陽圧の空気の供給を気道に提供するためのデバイスであ
る。
【０２５９】
トランスデューサ：エネルギー又は信号の１つの形態を別の形態に変換するためのデバ
イスである。トランスデューサは、力学的エネルギー（運動等）を電気信号に変換するた
めのセンサ又は検出器とすることができる。トランスデューサの例には、圧力センサ、流
量センサ、二酸化炭素（ＣＯ２）センサ、酸素（Ｏ２）センサ、努力センサ、運動センサ
、雑音センサ、プレチスモグラフ、及びカメラが含まれる。
【０２６０】
ボリュート：インペラによって圧送されている空気を受け取って、空気の流量率を低速
にし、圧力を増加させる遠心ポンプのケーシングである。ボリュートの断面は、面積が放
出ポートに向かって増大している。
【０２６１】
６．３  呼吸サイクルの態様
無呼吸：好ましくは、無呼吸は、流量が或る継続時間、例えば１０秒の間、所定の閾値
未満に降下したときに発生したと言われる。閉塞性無呼吸は、患者の努力にもかかわらず
、気道の或る閉塞によって空気が流れることができないときに発生したと言われる。中枢
性無呼吸は、呼吸努力の低下又は呼吸努力の欠如に起因した無呼吸が検出されたときに発
生したと言われる。
【０２６２】
呼吸数：患者の自発呼吸数は、通例、呼吸毎分で測定される。
【０２６３】
デューティサイクル：全呼吸時間Ｔｔｏｔに対する吸息時間Ｔｉの比である。
【０２６４】
努力（呼吸）：好ましくは、呼吸努力は、呼吸を試みる自発呼吸する人によって行われ
る努力であると言われる。
【０２６５】
呼吸サイクルの呼気部分：呼気流の開始から吸気流の開始までの期間である。
【０２６６】
流量制限：好ましくは、流量制限は、患者による努力の増大が流量の対応する増加を引
き起こさない患者の呼吸の状態とされる。流量制限が呼吸サイクルの吸気部分の間に生じ
ている場合、これは、吸気流量制限と呼ぶことができる。流量制限が呼吸サイクルの呼気
部分の間に生じている場合、これは、呼気流量制限と呼ぶことができる。
【０２６７】
流量制限吸気波形のタイプ：
（ｉ）平坦型：上昇を有し、その後に比較的平坦な部分が続き、その後に降下が続く。
（ｉｉ）Ｍ字型：１つは前縁にあり１つは後縁にある２つの局所的なピークを有し、こ
れらの２つのピーク間に比較的平坦な部分を有する。
（ｉｉｉ）チェア型：単一の局所的なピークを有し、このピークは前縁にあり、その後
に比較的平坦な部分が続く。
（ｉｖ）リバースチェア型：比較的平坦な部分を有し、その後に単一の局所的なピーク
が続き、このピークは後縁にある。
【０２６８】
呼吸低下：好ましくは、呼吸低下は、流量の停止ではなく、流量の低下とされる。１つ
の形態では、呼吸低下は、或る継続時間の間、閾値を下回る流量の低下があるときに発生
したと言うことができる。成人の１つの形態では、以下のもののいずれかが呼吸低下であ
るとみなすことができる。
（ｉ）少なくとも１０秒間の患者呼吸の３０％の低下に、関連した４％脱飽和が加わっ
たもの、又は
（ｉｉ）少なくとも３％の関連した脱飽和又は覚醒を伴った少なくとも１０秒間の患者
呼吸の低下（ただし、５０％未満）。
【０２６９】
過呼吸：標準流量よりも高いレベルへの流量の増加である。
【０２７０】
呼吸サイクルの吸気部分：好ましくは、吸気流の開始から呼気流の開始までの期間が、
呼吸サイクルの吸気部分とされる。
【０２７１】
開通性（気道）：気道が開放している度合い、又は気道が開放している程度である。開
通気道は開放している。気道開通性は定量化することができ、例えば、１の値は開放して
おり、０の値は閉鎖している。
【０２７２】
終末呼気陽圧（ＰＥＥＰ）：呼気の終わりに存在する肺内の大気を超える圧力である。
【０２７３】
ピーク流量（Ｑｐｅａｋ）：呼吸流量波形の吸気部分の間の流量の最大値である。
【０２７４】
呼吸流量、空気流量、患者空気流量、呼吸気流量（Ｑｒ）：これらの同義の用語は、通
例はリットル毎分で表される、患者が受けている実際の呼吸流量である「真の呼吸流量」
又は「真の呼吸気流量」とは対照的に、ＰＡＰデバイスの呼吸気流量の推定値を指すもの
と理解することができる。
【０２７５】
１回換気量（Ｖｔ）：余分な努力が加えられないとき、通常の呼吸中に吸い込んだ空気
又は吐き出した空気の体積である。
【０２７６】
（吸息）時間（Ｔｉ）：呼吸流量波形の吸気部分の継続時間である。
【０２７７】
（呼息）時間（Ｔｅ）：呼吸流量波形の呼気部分の継続時間である。
【０２７８】
（全）時間（Ｔｔｏｔ）：１つの呼吸流量波形の吸気部分の開始と次の呼吸流量波形の
吸気部分の開始との間の全継続時間である。
【０２７９】
典型的な最近の換気量：いくつかの所定時間尺度にわたる最近の値が群がる傾向がある
換気量の値、すなわち、換気量の最近の値の中心傾向の測定値。
【０２８０】
上気道閉塞（ＵＡＯ）：部分上気道閉塞及び完全上気道閉塞の双方を含む。これは、上
気道にわたる圧力差が増加するにつれて、流量のレベルが僅かにしか増加しないか又は減
少する場合さえある（スターリングレジスタ挙動）流量制限の状態に関連付けることがで
きる。
【０２８１】
換気量（Ｖｅｎｔ）：吸気流量及び呼気流量の双方を含めて、患者の呼吸器系によって
単位時間当たりに交換されているガスの総量の測定量である。毎分の体積として表される
とき、この量は、「毎分換気量」と呼ばれることが多い。毎分換気量は、単に体積として
与えられることがあるが、毎分の体積であると理解される。
【０２８２】
６．４  ＰＡＰデバイスパラメータ
流量率（流動速度）：単位時間当たりに送達される空気の瞬時体積（又は質量）である
。流量率及び換気量は、単位時間当たりの体積又は質量という同じ側面を有するが、流量
率は、はるかに短い時間期間にわたって測定される。流量は、患者の呼吸サイクルの吸気
部分の間は名目的に正とすることができ、したがって、患者の呼吸サイクルの呼気部分の
間は負とすることができる。幾つかの場合には、流量率というときは、スカラー量、すな
わち、大きさのみを有する量を指す。他の場合には、流量率というときは、ベクトル量、
すなわち、大きさ及び方向の双方を有する量を指す。流量には、シンボルＱが与えられる
。総流量Ｑｔは、ＰＡＰデバイスを出て行く空気の流量である。通気孔流量Ｑｖは、吐き
出されたガスのウォッシュアウトを可能にする通気孔を出て行く空気の流量である。漏れ
流量Ｑｌは、患者インタフェースシステムからの意図的でない漏れの流量率である。呼吸
流量Ｑｒは、患者の呼吸器系内に受け入れられる空気の流量である。
【０２８３】
漏れ：好ましくは、漏れという語は、周囲への空気の流れであるものとして解釈される
。漏れは、例えば、吐き出されたＣＯ２のウォッシュアウトを可能にするために意図的で
ある場合がある。漏れは、例えば、マスクと患者の顔との間の不完全なシールの結果とし
て意図的でない場合がある。
【０２８４】
騒音、伝導（いかに測定されるか、典型的な値）
【０２８５】
騒音、伝播（いかに測定されるか、典型的な値）
【０２８６】
圧力：単位面積当たりの力である。圧力は、ｃｍＨ２Ｏ、ｇ−ｆ／ｃｍ２、ヘクトパス
カルを含む様々な単位で測定することができる。１ｃｍＨ２Ｏは、１ｇ−ｆ／ｃｍ２に等
しく、ほぼ０．９８ヘクトパスカルである。この明細書では、別段の明示がない限り、圧
力はｃｍＨ２Ｏの単位で与えられる。ＯＳＡの経鼻ＣＰＡＰ治療の場合、治療圧というと
きは、約４ｃｍＨ２Ｏ〜２０ｃｍＨ２Ｏ又は約４ｃｍＨ２Ｏ〜３０ｃｍＨ２Ｏの範囲の圧
力を指す。患者インタフェースにおける圧力には、シンボルＰｍが与えられる。
【０２８７】
音響パワー：音波によって搬送される単位時間当たりのエネルギーである。音響パワー
は、音圧に波面の面積を乗算したものの２乗に比例する。音響パワーは、通例、デシベル
ＳＷＬ、すなわち、通常は１０−１２ワットとされる基準電力に対するデシベルで与えら
れる。
【０２８８】
音圧：音波が媒体を通って進む結果としての所与の時点における周囲圧力からの局所的
な偏りである。音響パワーは、通例、デシベルＳＰＬ、すなわち、人間の聴覚の閾値を考
慮して通常は２０×１０−６パスカル（Ｐａ）とされる基準電力に対するデシベルで与え
られる。
【０２８９】
６．５  人工呼吸器の用語
適応サーボ人工呼吸器：固定された目標換気量ではなく変更可能な目標換気量を有する
人工呼吸器である。変更可能な目標換気量は、患者の或る特性、例えば、患者の呼吸特性
から学習することができる。
【０２９０】
バックアップレート：特にトリガされない限り、人工呼吸器が患者に送達する最小呼吸
数（通常は、毎分の呼吸の数）を設定する人工呼吸器のパラメータである。
【０２９１】
循環（cycled）：人工呼吸器の吸気位相の終了である。人工呼吸器が、自発呼吸する患
者に呼吸を送達するとき、呼吸サイクルの吸気部分の終わりに、人工呼吸器は、呼吸の送
達を停止するように循環されると言われる。
【０２９２】
ＥＰＡＰ（又はＥＥＰ）：人工呼吸器が所与の時点において達成しようと試みる所望の
マスク圧力を生成するために、呼吸内で変動する圧力が追加される基底圧力である。
【０２９３】
ＩＰＡＰ：人工呼吸器が呼吸の吸気部分の間に達成しようと試みる所望のマスク圧力で
ある。
【０２９４】
圧補助：人工呼吸器の呼気中の圧力を超える人工呼吸器の吸気中の圧力の増加を示し、
一般に、吸気中の圧力の最大値と呼気中の圧力の最小値との差分（例えば、ＰＳ＝ＩＰＡ
Ｐ−ＥＰＡＰ）を意味する数値である。幾つかの文脈では、圧補助は、人工呼吸器が実際
に達成する差分ではなく、達成しようと目標としている差分を意味する。
【０２９５】
サーボ人工呼吸器：患者の換気量を測定する人工呼吸器は目標換気量を有し、この患者
の換気量を目標換気量に持って行くように圧補助のレベルを調整する人工呼吸器である。
【０２９６】
自発／時限（Ｓ／Ｔ）：自発呼吸する患者の呼吸の開始を検出しようと試みる人工呼吸
器又は他のデバイスのモードである。しかしながら、デバイスは、所定の時間期間内に呼
吸を検出することができない場合、呼吸の送達を自動的に開始する。
【０２９７】
スイング：圧補助と等価語である。
【０２９８】
トリガ：人工呼吸器が、自発呼吸する患者に空気の呼吸を送達するとき、患者の努力に
よる呼吸サイクルの呼吸部分の開始時に送達するようにトリガされると言われる。
【０２９９】
人工呼吸器：呼吸の作用の一部又は全てを実行する、患者に圧補助を提供する機械式デ
バイスである。
【０３００】
６．６  呼吸器系の解剖学
横隔膜：胸郭の底部にわたって延在する筋層である。横隔膜は、心臓、肺、及び肋骨を
収容する胸腔を腹腔から隔てている。横隔膜が収縮するにつれて、胸腔の体積が増加し、
空気が肺に引き込まれる。
【０３０１】
喉頭：喉頭、又は発声器（voice box）は、声帯を収容し、咽頭の下部分（下咽頭）を
気管と接続する。
【０３０２】
肺：人間の呼吸器官である。肺の気道部（conducting zone）は、気管、気管支、細気
管支、及び終末細気管支を含む。呼吸域は、呼吸細気管支、肺胞管、及び肺胞を含む。
【０３０３】
鼻腔：鼻腔（又は鼻窩）は、顔の中央において鼻の上部及び背後の空気で満たされた大
きな空間である。鼻腔は、鼻中隔と呼ばれる垂直のひれによって２つに分割されている。
鼻腔の両側には、鼻甲介又は鼻介骨と呼ばれる３つの水平の伸び出たもの（outgrowths）
がある。鼻腔の前方には鼻がある一方、後方は、後鼻孔を経由して鼻咽頭に融合している
。
【０３０４】
咽頭：鼻腔の直ぐ下（下部）でかつ食道及び喉頭の上に位置する咽喉の部分である。咽
頭は、慣習的に３つの区域、すなわち、鼻咽頭（上咽頭）（咽頭の鼻部分）、咽頭口腔部
（中咽頭）（咽頭の口腔部分）、及び喉頭咽頭（下咽頭）に分割される。
【０３０５】
７  他の特記事項
本特許文書の開示内容の一部分は、著作権保護を受けるマテリアルを含んでいる。著作
権者は、本特許文書又は特許開示内容が特許商標庁の包袋又は記録に現われているときは
、いかなる者によるこの特許文書又は特許開示内容の複製に対しても異議を有しないが、
それ以外については、いかなる著作権も全てこれを留保する。
【０３０６】
文脈が明らかに別段の規定をしていない限り、値の範囲が提供されている場合には、下
限の単位の１０分の１まで、その範囲の上限と下限との間にある各値、及びその明示され
た範囲にある他の任意の明示された値又は間にある値が、本技術の範囲内に包含されるこ
とが理解される。これらの間にある範囲の上限及び下限は、当該間にある範囲に独立して
含まれる場合があり、これらも、本技術の範囲内に包含され、明示された範囲内で任意の
明確に除外された制限に従う。明示された範囲がこれらの上限及び下限の一方又は双方を
含む場合、それらの含まれる上限及び下限の一方又は双方を除外した範囲も本技術に含ま
れる。
【０３０７】
さらに、単数又は複数の値が、本技術の一部分として実施されるものとして本明細書に
明示されている場合、そのような値は、別段の明示がない限り、近似することができ、そ
のような値は、実際の技術的な実施態様が可能とすることができるか又は必要とする場合
がある程度まで任意の好適な有効桁で利用することができることが理解される。
【０３０８】
別段の定義がない限り、本明細書に用いられる全ての科学技術用語は、この技術が属す
る技術分野の当業者によって一般に理解されているものと同じ意味を有する。本明細書に
記載された方法及びマテリアルと類似の又は等価ないずれの方法及びマテリアルも、本技
術の実践又は試験において用いることができるが、限られた数の例示の方法及びマテリア
ルが本明細書に記載されている。
【０３０９】
特定のマテリアルが、構成要素の構築に用いられることが好ましいと特定されたとき、
同様の性質を有する明らかな代替のマテリアルを代替物として用いることができる。さら
に、本明細書に記載したありとあらゆる構成要素は、逆のことが明記されていない限り、
製造することが可能であると理解され、したがって、合わせて又は別々に製造することが
できる。
【０３１０】
数が特定されていないものは、本明細書及び添付の特許請求の範囲において用いられる
とき、文脈が明らかに別段の規定をしていない限り、単数及び複数の等価なものを含むこ
とに留意しなければならない。
【０３１１】
本明細書で言及した全ての刊行物は、それらの刊行物の主題である方法及び／又はマテ
リアルを開示及び記載しているように参照することによって本明細書の一部をなすものと
する。本明細書において論述した刊行物は、本出願の出願日前のそれらの開示内容につい
てのみ提供される。本明細書におけるいかなるものについても、本技術が先行発明による
そのような刊行物に先行する権利がないことを認めるものと解釈されるべきではない。さ
らに、提供される刊行物の日付は、実際の公開日とは異なる場合があり、実際の公開日は
、別個に確認することが必要な場合がある。
【０３１２】
その上、開示内容を解釈する際に、全ての用語は、文脈と一貫性のある最も広い合理的
な方法で解釈されるべきである。特に、「備える」及び「含む」（“comprises” and “
comprising”）という用語は、非排他的な方法で要素、構成要素、又はステップを指すも
のと解釈されるべきであり、参照される要素、構成要素、又はステップが存在することが
できること、利用することができること、又は明確に参照されない他の要素、構成要素、
若しくはステップと組み合わせることができることを示す。
【０３１３】
詳細な説明において用いられた見出し語は、読み手の参照を容易にするためにのみ含ま
れており、本開示又は特許請求の範囲全体を通じて見られる主題を限定するために用いら
れるべきではない。これらの見出し語は、特許請求の範囲の範囲又は特許請求の範囲の限
定事項を解釈する際に用いられるべきではない。
【０３１４】
特定の実施形態を参照して本明細書における技術を説明してきたが、これらの実施形態
は、本技術の原理及び適用の単なる例示にすぎないことが理解されるべきである。幾つか
の場合には、術語及びシンボルは、本技術を実施するのに必要とされない特定の詳細を意
味している場合がある。例えば、「第１」及び「第２」という用語が用いられる場合があ
るが、別段の指定がない限り、それらは、何らかの順序を示すことを意図するものではな
く、異なる要素を区別するのに利用される場合がある。さらに、上記方法論におけるプロ
セスステップは、或る順序で説明又は図示される場合があるが、そのような順序付けは必
須ではない。当業者であれば、そのような順序付けを変更することができ、及び／又はそ
れらの態様を同時に行うこともできるし、同期して行うこともできることを認識するであ
ろう。
【０３１５】
したがって、本技術の趣旨及び範囲から逸脱することなく、非常に多くの変更を例示の
実施形態に行うことができ、他のアレンジを考案することができることが理解されるべき
である。
【図１ａ】
2020171797.tif 000005
【図１ｂ】
2020171797.tif 000006
【図１ｃ】
2020171797.tif 000007
【図２ａ】
2020171797.tif 000008
【図２ｂ】
2020171797.tif 000009
【図３】
2020171797.tif 000010
【図４ａ】
2020171797.tif 000011
【図４ｂ】
2020171797.tif 000012
【図４ｃ】
2020171797.tif 000013
【図４ｄ】
2020171797.tif 000014
【図５】
2020171797.tif 000015
【図６ａ】
2020171797.tif 000016
【図６ｂ】
2020171797.tif 000017
【図６ｃ】
2020171797.tif 000018
【図６ｄ】
2020171797.tif 000019
【図６ｅ】
2020171797.tif 000020
【図６ｆ】
2020171797.tif 000021
【図６ｇ】
2020171797.tif 000022
【図６ｈ】
2020171797.tif 000023
【図６ｉ】
2020171797.tif 000024
【図６ｊ】
2020171797.tif 000025
【図６ｋ】
2020171797.tif 000026
【図６ｌ】
2020171797.tif 000027
【図６ｍ】
2020171797.tif 000028
【図６ｎ】
2020171797.tif 000029
【図７】
2020171797.tif 000030
【図８】
2020171797.tif 000031
【図９】
2020171797.tif 000032
【図１０】
2020171797.tif 000033
【図１１】
2020171797.tif 000034
【図１２】
2020171797.tif 000035
【図１３】
2020171797.tif 000036
【図１４】
2020171797.tif 000037
【図１５】
2020171797.tif 000038
【図１６】
2020171797.tif 000039
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
呼吸療法を生成するように構成された呼吸療法装置の流れ発生器のコントローラにおける方法であって、
被験者の動き成分を含む１つ以上の検出された信号にアクセスするステップであって、前記動き成分は体動及び呼吸運動の成分を含み、前記１つ以上の検出された信号は１つ以上の流量センサによって生成される、アクセスするステップと、
前記検出された信号の少なくとも一部を分析して、呼吸変動を計算するステップであって、前記呼吸変動は、呼吸速度の変動及び呼吸振幅の変動のうちの１つ以上のものを含む、計算するステップと、
前記呼吸変動と前記動き成分とを組み合わせて睡眠段階の指標を生成するステップと、
生成された前記睡眠段階の指標を入力として受け取る療法パラメータ決定プロセスを実行するステップと、
前記療法パラメータ決定プロセスの出力を用いて、前記流れ発生器の治療動作を設定するステップであって、前記治療動作の設定は、生成された前記睡眠段階の指標に少なくとも部分的に基づくものである、設定するステップと
を含んでなる方法。
【請求項２】
前記動き成分は、寝返り、けいれん及び位置の調整を含む、１つ以上の一般的な体の動きを含むものである、請求項１に記載の方法。
【請求項３】
前記療法パラメータ決定プロセスは、換気の測定値、吸気流制限の測定値、無呼吸及び／又は呼吸低下の存在の測定値、並びにいびきの存在の測定値のうちの１つ以上のものを含む、さらなる入力を受け取るものである、請求項１に記載の方法。
【請求項４】
前記療法パラメータ決定プロセスは、前記睡眠段階の関数として治療圧力を決定するものである、請求項１〜３のいずれか一項に記載の方法。
【請求項５】
前記療法パラメータ決定プロセスは、流れ制限、無呼吸、呼吸低下、睡眠段階及びいびきの１つ以上の測定値の関数として前記治療圧力を決定するものである、請求項４に記載の方法。
【請求項６】
前記治療パラメータ決定プロセスは、目標換気量決定プロセスからの目標換気量に基づいて前記治療圧力を決定するものである、請求項４又は５に記載の方法。
【請求項７】
前記１つ以上の検出された信号は、前記被験者に向けて検知波を送信するように構成された１つ以上の非接触センサによって生成された１つ以上の信号をさらに含む、請求項１に記載の方法。
【請求項８】
前記１つ以上の非接触センサが、前記被験者から反射された無線周波数信号を受信して、前記１つ以上の検出された信号を生成する、請求項７に記載の方法。
【請求項９】
前記１つ以上の非接触センサが超音波センサを含むものである、請求項７に記載の方法。
【請求項１０】
前記１つ以上の非接触センサのうちのあるセンサは、前記センサに近接するユーザに対応する複数の信号を生成するモニタデバイスを含んでおり、前記複数の信号のうちの２つの信号がユーザの動きを表し、前記複数の信号のうちの２つの信号がユーザの呼吸を表すものである、請求項７〜９のいずれか一項に記載の方法。
【請求項１１】
前記コントローラは、スペクトル分析によってユーザの呼吸を表す前記信号を処理して、各信号についての帯域内呼吸パワーを決定する、請求項１０に記載の方法。
【請求項１２】
前記コントローラは、夜通しの睡眠段階の一連の表示を含むフィードバックを前記被験者に提供する、請求項１〜１１のいずれか一項に記載の方法。
【請求項１３】
前記フィードバックは、リアルタイムであって、周囲温度、周囲照明レベル、周囲騒音及び周囲のにおいのうちの１つ以上のものを含む１つ以上の環境因子を制御する、請求項１２に記載の方法。
【請求項１４】
前記フィードバックは、ラジオ、テレビ又は娯楽装置を含む電子装置を制御する、請求項１２に記載の方法。
【請求項１５】
人の存在又は不在の検出をさらに含む、請求項１〜１４のいずれか一項に記載の方法。
【請求項１６】
パワースペクトル密度の推定値を生成すること、及びパワースペクトル密度の前記推定値を用いて呼吸数を計算することをさらに含む、請求項１〜１５のいずれか一項に記載の方法。
【請求項１７】
前記コントローラにおいて、トレンド除去変動分析によって、呼吸数の短期相関及び長期相関を評価することをさらに含む、請求項１〜１６のいずれか一項に記載の方法。
【請求項１８】
前記睡眠段階の指標を生成するステップは、深い睡眠のエポックを特定して、それを睡眠または覚醒の他のエポックと区別することを含む、請求項１〜１７のいずれか一項に記載の方法。
【請求項１９】
前記分析するステップは、測定された呼吸数信号の変動と閾値との比較に応じて呼吸数安定閾値を設定することを含む、請求項１〜１８のいずれか一項に記載の方法。
【請求項２０】
前記分析するステップは、複数のエポックのそれぞれについて呼吸数の範囲を計算することを含み、
計算された前記呼吸数範囲のそれぞれを、設定された前記呼吸数安定閾値と比較し、
計算された前記呼吸数の範囲が設定された前記呼吸数安定閾値よりも小さい場合には、前記エポックを深い睡眠として分類し、そうでない場合には前記エポックを浅い睡眠として分類する
請求項１９に記載の方法。
【請求項２１】
動きセンサからの入力信号の信号品質を推定することに基づいて安定閾値を調整することをさらに含む、請求項１〜２０のいずれか一項に記載の方法。
【請求項２２】
睡眠の期間を、その期間中の呼吸数の変動に基づいて、深い睡眠又はレム睡眠のいずれかとして分類することを含む、請求項１〜２１のいずれか一項に記載の方法。
【請求項２３】
呼吸数の相対的に高い変動の期間はレム睡眠期間の指示とみなされ、呼吸数の相対的に低い変動の期間は深い睡眠の状態に関連するものとみなされる、請求項２２に記載の方法。
【請求項２４】
変換された信号から呼吸統計量を抽出するステップをさらに含み、前記変換された信号は前記１つ以上の検出された信号から変換される、請求項１〜２３のいずれか一項に記載の方法。
【請求項２５】
抽出された前記呼吸統計量が、呼吸間隔の平均、呼吸振幅の平均、呼吸間隔の変動及び呼吸振幅の変動のうちの１つ以上のものを含む、請求項２４に記載の方法。
【請求項２６】
前記睡眠段階の指示は、複数のエポックに対する一連の表示を含み、前記一連の表示は、覚醒段階、浅い睡眠段階、深い睡眠段階及びレム睡眠段階のうちの２つ以上のものを含む、請求項１〜２５のいずれか一項に記載の方法。
【請求項２７】
呼吸インダクタンス・プレチスモグラフィセンサ、センサフィルム若しくはセンサマットレスに埋め込まれた圧力センサ、生体インピーダンス測定システム、呼気終末ＣＯ２呼吸モニタ及び光センサのうちの１つ以上のものを用いて、睡眠段階の指示を生成するための動きを示す信号を生成するステップをさらに含む、請求項１〜２６のいずれか一項に記載の方法。
【請求項２８】
前記コントローラの呼吸解析器は、入力信号におけるピーク及びゼロ交差を検出する、請求項１〜２７のいずれか一項に記載の方法。
【請求項２９】
前記呼吸解析器は、各呼吸の呼吸間隔及び振幅を決定する、請求項２８に記載の方法。
【請求項３０】
被験者の呼吸療法を生成する装置であって、
呼吸療法を生成するように構成された流れ発生器と、
前記流れ発生器の動作を制御するように構成されたコントローラと、
前記被験者の動き成分を含む１つ以上の信号を生成するように構成された１つ以上の流量センサであって、前記動き成分は体動及び呼吸運動の成分を含むものである、流量センサと
を含んでなり、
前記コントローラは、
生成された前記１つ以上の信号にアクセスし、
生成された前記１つ以上の信号の少なくとも一部を分析して、呼吸速度の変動及び呼吸振幅の変動のうちの１つ以上のものを含む呼吸変動を計算し、
前記呼吸変動と前記動き成分とを組み合わせて睡眠段階の指標を生成し、
生成された前記睡眠段階の指標を入力として受け取る療法パラメータ決定プロセスを実行し、
前記療法パラメータ決定プロセスの出力を用いて前記流れ発生器の治療動作を設定し、該治療動作の設定は、生成された前記睡眠段階の指標に少なくとも部分的に基づくものである、被験者の呼吸療法を生成する装置。
【請求項３１】
前記動き成分は、寝返り、けいれん及び位置の調整を含む１つ以上の一般的な体の動きを表すものである、請求項３０に記載の装置。
【請求項３２】
前記療法パラメータ決定プロセスは、換気の測定値、吸気流制限の測定値、無呼吸及び／又は呼吸低下の存在の測定値、並びにいびきの存在の測定値のうちの１つ以上のものを含むさらなる入力を受信するように構成される、請求項３０又は３１に記載の装置。
【請求項３３】
前記療法パラメータ決定プロセスは、前記睡眠段階の関数として治療圧力を決定するように構成される、請求項３０〜３２のいずれか一項に記載の装置。
【請求項３４】
前記療法パラメータ決定プロセスは、流れ制限、無呼吸、呼吸低下、睡眠段階及びいびきの１つ以上の測定値の関数として前記治療圧力を決定するように構成される、請求項３３に記載の装置。
【請求項３５】
前記療法パラメータ決定プロセスは、目標換気量決定プロセスからの目標換気量に基づいて前記治療圧力を決定するように構成される、請求項３３又は３４に記載の装置。
【請求項３６】
生成された前記１つ以上の信号は、前記被験者に向けて検知波を送信するように構成された１つ以上の非接触センサによって生成された１つ以上の信号をさらに含む、請求項３０に記載の装置。
【請求項３７】
前記１つ以上の非接触センサは、前記被験者から反射された無線周波数信号を受信して、前記１つ以上の信号を生成する、請求項３６に記載の装置。
【請求項３８】
前記１つ以上の非接触センサは超音波センサを含む、請求項３６に記載の装置。
【請求項３９】
前記１つ以上の非接触センサのうちのあるセンサは、前記センサに近接するユーザに対応する複数の信号を生成するモニタデバイスを含んでおり、前記複数の信号のうちの２つの信号がユーザの動きを表し、前記複数の信号のうちの２つの信号がユーザの呼吸を表すものである、請求項３０〜３８のいずれか一項に記載の装置。
【請求項４０】
前記コントローラは、スペクトル分析によってユーザの呼吸を表す前記信号を処理して、各信号についての帯域内呼吸パワーを決定する、請求項３９に記載の装置。
【請求項４１】
前記コントローラは、夜通しの睡眠段階の一連の表示を含むフィードバックを前記被験者に提供する、請求項３０〜４０のいずれか一項に記載の装置。
【請求項４２】
前記フィードバックはリアルタイムであって、周囲温度、周囲照明レベル、周囲騒音及び周囲のにおいのうちの１つ以上のものを含む１つ以上の環境因子を制御する、請求項４１に記載の装置。
【請求項４３】
前記フィードバックは、ラジオ、テレビ又は娯楽装置を含む電子装置を制御する、請求項４２に記載の装置。
【請求項４４】
前記コントローラは、人の存在または不在を検出するようにさらに構成される、請求項３０〜４３のいずれか一項に記載の装置。
【請求項４５】
前記コントローラは、パワースペクトル密度の推定値を生成し、パワースペクトル密度の推定値を用いて呼吸数を計算するように構成される、請求項３０〜４４のいずれか一項に記載の装置。
【請求項４６】
前記コントローラは、トレンド除去変動分析によって、呼吸数の短期相関及び長期相関を評価するように構成される、請求項３０〜４５のいずれか一項に記載の装置。
【請求項４７】
前記睡眠段階の指標を生成するために、前記コントローラは、深い睡眠のエポックを特定して、それを睡眠または覚醒の他のエポックと区別する、請求項３０〜４６のいずれか一項に記載の装置。
【請求項４８】
前記生成された信号を分析するために、前記コントローラは、測定された呼吸数信号の変動性と閾値との比較に応じて、呼吸数安定閾値を設定する、請求項３０〜４７のいずれか一項に記載の装置。
【請求項４９】
前記生成された信号を分析するために、前記コントローラは、
複数のエポックのそれぞれについて呼吸数の範囲を計算し、
計算された前記呼吸範囲のそれぞれを、設定された前記呼吸数安定閾値と比較し、
計算された前記呼吸数の範囲が設定された前記呼吸数安定閾値よりも小さい場合には、前記エポックを深い睡眠として分類し、そうでない場合には前記エポックを浅い睡眠として分類する
ようにさらに構成される、請求項４８に記載の装置。
【請求項５０】
前記コントローラは、動きセンサからの入力信号の信号品質を推定することに基づいて安定閾値を調整するようにさらに構成される、請求項３０〜４９のいずれか一項に記載の装置。
【請求項５１】
前記コントローラは、睡眠の期間を、その期間中の呼吸数の変動性に基づいて、深い睡眠又はレム睡眠のいずれかに分類するように構成される、請求項３０〜５０のいずれか一項に記載の装置。
【請求項５２】
呼吸数の相対的に高い変動の期間はレム睡眠期間の指示とみなされ、呼吸数の相対的に低い変動の期間は深い睡眠の状態に関連するとみなされる、請求項５１に記載の装置。
【請求項５３】
前記コントローラは、変換された信号から呼吸統計量を抽出するように構成され、前記変換された信号は、生成された前記１つ以上の信号から変換される、請求項３０〜５２のいずれか一項に記載の装置。
【請求項５４】
抽出された前記呼吸統計量は、呼吸間隔の平均、呼吸振幅の平均、呼吸間隔の変動及び呼吸振幅の変動のうちの１つ以上のものを含む、請求項５３に記載の装置。
【請求項５５】
前記睡眠段階の指示は、複数のエポックに対する一連の表示を含み、前記一連の表示は、覚醒段階、浅い睡眠段階、深い睡眠段階及びレム睡眠段階のうちの２つ以上のものを含む、請求項３０〜５４のいずれか一項に記載の装置。
【請求項５６】
呼吸インダクタンス・プレチスモグラフィセンサ、センサフィルム若しくはセンサマットレスに埋め込まれた圧力センサ、生体インピーダンス測定システム、呼気終末ＣＯ２呼吸モニタ及び光センサのうちの１つ以上のものを用いて、睡眠段階の指示を生成するために動きを示す信号を生成するようにさらに構成される、請求項３０〜５５のいずれか一項に記載の装置。
【請求項５７】
前記コントローラの呼気解析器は、入力信号におけるピーク及びゼロ交差を検出する、請求項３０〜５６のいずれか一項に記載の装置。
【請求項５８】
前記呼吸解析器は、各呼吸の呼吸間隔及び振幅を決定する、請求項５７に記載の装置。
【手続補正２】
【補正対象書類名】明細書
【補正対象項目名】０３１５
【補正方法】変更
【補正の内容】
【０３１５】
したがって、本技術の趣旨及び範囲から逸脱することなく、非常に多くの変更を例示の実施形態に行うことができ、他のアレンジを考案することができることが理解されるべきである。
なお、本願の出願当初の開示事項を維持するために、本願の出願当初の請求項１〜４８の記載内容を以下に追加する。
（請求項１）
被験者の睡眠段階を分類する方法であって、
プロセッサを使用して、
前記被験者の呼吸運動に関連する１つ又は複数の検出信号にアクセスし、
前記検出信号の少なくとも一部を解析して、呼吸数の変動及び呼吸振幅の変動のうちの１つ又は複数を含む呼吸変動を計算し、
前記呼吸変動に基づいて睡眠段階を決定する、
ステップ、
を含む、方法。
（請求項２）
前記被験者の非呼吸運動を解析して前記睡眠段階を分類するステップを更に含む、請求項１に記載の方法。
（請求項３）
１つ又は複数のセンサを使用して、前記被験者の呼吸運動、前記被験者の非呼吸運動、又はその両方に関する１つ又は複数の信号を検出するステップ、
を更に含む、請求項１又は２に記載の方法。
（請求項４）
前記１つ又は複数の信号のうちの少なくとも１つの検出は、非接触式に行われる、請求項１乃至３のいずれか一項に記載の方法。
（請求項５）
前記被験者の体動に関連する検出信号にアクセスするステップと、前記呼吸変動を前記体動と結合して前記睡眠段階を決定するステップと、を更に含む、請求項１乃至４のいずれか一項に記載の方法。
（請求項６）
前記決定は、深い睡眠のエポックを、睡眠又は覚醒の他のエポックから区別するように識別するステップを含む、請求項１乃至５のいずれか一項に記載の方法。
（請求項７）
プロセッサにより、人の存在又は不在を検出するステップを含む、請求項１乃至６のいずれか一項に記載の方法。
（請求項８）
前記決定は睡眠段階計算を含み、該睡眠段階計算の睡眠段階出力は睡眠又は覚醒のみである、請求項１乃至７のいずれか一項に記載の方法。
（請求項９）
前記検出信号は、前記被験者の呼吸数又は該被験者の呼吸振幅を推定するように処理される、請求項１乃至８のいずれか一項に記載の方法。
（請求項１０）
前記検出信号は、呼吸数又は前記被験者の呼吸振幅を推定するように処理される、請求項１乃至９のいずれか一項に記載の方法。
（請求項１１）
呼吸数の推定は、エポックごとに行われる、請求項１乃至１０のいずれか一項に記載の方法。
（請求項１２）
前記解析は、測定された呼吸信号の振幅の変動と振幅閾値との比較に応じて、呼吸安定閾値を設定するステップを含む、請求項１乃至１１のいずれか一項に記載の方法。
（請求項１３）
前記解析は、測定された呼吸数信号の変動と閾値との比較に応じて、呼吸数安定閾値を設定するステップを含む、請求項１乃至１２のいずれか一項に記載の方法。
（請求項１４）
前記解析は、複数のエポックの各々に対して、該それぞれのエポックの各々の前記呼吸数の最小値及び最大値に基づいて、呼吸数範囲を計算するステップを含む、請求項１乃至１３のいずれか一項に記載の方法。
（請求項１５）
前記エポックに対して前記計算された呼吸範囲を選択された安定閾値と比較するステップと、
前記計算された呼吸範囲が、設定された安定閾値より小さい場合は、前記エポックを深い睡眠として分類し、そうでない場合は、該エポックを浅い睡眠として分類するステップと、
を更に含む、請求項１４に記載の方法。
（請求項１６）
プロセッサにより、浅い睡眠エポックに遭遇した場合に、以前の深い睡眠エポックのシーケンス長をカウントするステップと、最後の浅い睡眠エポック以後に遭遇した深い睡眠エポックの先行するエポックの数が、所定数未満である場合に、これらのエポックを浅い睡眠として再分類するステップと、を更に含む、請求項１５に記載の方法。
（請求項１７）
前記所定数は５である、請求項１６に記載の方法。
（請求項１８）
睡眠の期間を、該期間中の前記呼吸数の変動に基づいて、深い睡眠又はレム睡眠のいずれかとして分類するステップを含む、請求項１乃至１７のいずれか一項に記載の方法。
（請求項１９）
期間を、該期間に対するスペクトル解析及び近似エントロピー解析から導出される特徴の組合せが閾値よりそれぞれ小さいか又は大きいかに基づいて、深い睡眠期間又はレム睡眠期間のいずれかとして分類するステップを含む、請求項１乃至１８のいずれか一項に記載の方法。
（請求項２０）
非接触無線周波数ベースのセンサが使用され、前記解析は、送信機の位相空間において９０°離れた位置から観察される検出された動きを表す直交信号Ｉ及びＱを提供する、請求項１乃至１９のいずれか一項に記載の方法。
（請求項２１）
前記解析は、呼吸数変動及び呼吸振幅変動を用いて睡眠段階を決定する、請求項１乃至２０のいずれか一項に記載の方法。
（請求項２２）
前記解析は、前記呼吸数及び振幅の変動を用いてレム睡眠を区別し、前記呼吸数の相対的に高い変動の期間はレム睡眠期間の指示としてみなされ、前記呼吸数の相対的に低い変動の期間は、深い睡眠の状態に関連するものとしてみなされる、請求項２１に記載の方法。
（請求項２３）
前記解析は、時系列の変動を評価するステップを含み、該評価するステップは、予測可能な時系列に対して相対的に低い値を想定し、時間系列がより可変になるほど相対的に高い値を想定する近似エントロピーを用いる、請求項２１又は２２に記載の方法。
（請求項２４）
前記解析は連続した呼吸数及び呼吸振幅推定値を提供し、その後、該呼吸数はセグメントで２つの処理ブロックに供給され、そこではブロックは、前記信号のそのセグメントの近似エントロピーであるエポックに対する単一の数を出力する、請求項２２に記載の方法。
（請求項２５）
プロセッサにより、センサによる前記被験者の体動及び呼吸運動に関連する前記１つ又は複数の信号の検出を制御するステップを更に含む、請求項１乃至２４のいずれか一項に記載の方法。
（請求項２６）
プロセッサにより、前記決定した睡眠段階に基づいて呼吸治療を制御するステップを更に含む、請求項１乃至２５のいずれか一項に記載の方法。
（請求項２７）
被験者の睡眠段階を分類するシステムであって、
体動及び呼吸関連運動に関連する１つ又は複数の信号を検出するように構成された１つ又は複数のセンサと、
前記検出された信号の少なくとも一部を解析して、呼吸数の変動及び呼吸振幅の変動のうちの１つ又は複数を含む呼吸変動を計算し、前記呼吸変動を前記体動検出と結合して睡眠段階を決定するように構成されたプロセッサと、
を具備する、システム。
（請求項２８）
前記１つ又は複数のセンサのうちの少なくとも１つは非接触センサである、請求項２７に記載のシステム。
（請求項２９）
前記少なくとも１つの非接触センサは無線周波数ベースのセンサである、請求項２８に記載のシステム。
（請求項３０）
該少なくとも１つの非接触無線センサは距離ゲート式である、請求項２９に記載のシステム。
（請求項３１）
呼吸治療装置を更に具備するシステムであって、該呼吸治療装置は、患者インタフェースに結合するように適合された流れ発生器と、該流れ発生器の治療動作を設定するように構成されたコントローラと、を備え、該コントローラは、前記プロセッサと通信し、前記決定した呼吸段階に部分的に基づいて、治療圧力を制御するように構成されている、請求項２７乃至３０のいずれか一項に記載のシステム。
（請求項３２）
プロセッサによって実行される場合に、請求項１乃至２６のいずれか一項に記載の方法をプロセッサが実行するのを可能にするように、プロセッサ制御命令が符号化されているコンピュータ可読媒体。
（請求項３３）
被験者の睡眠段階を分類する装置のプロセッサの方法であって、
前記被験者の体動及び呼吸運動に関連する複数の信号にアクセスするステップと、
処理するために前記複数の信号のうちの１つを選択するステップと、
前記選択された信号をウェーブレット変換によって処理するステップと、
前記変換された信号に対応するマスクを生成するステップと、
前記マスクに従って、前記変換された信号から特徴を抽出するステップと、
該抽出された特徴に基づいて睡眠段階を分類するステップと、
を含む、方法。
（請求項３４）
前記プロセッサは、最大帯域内呼吸パワーを検出することによって、前記複数の信号のうちの１つを選択する、請求項３３に記載の方法。
（請求項３５）
前記プロセッサにより、前記変換された信号から呼吸統計量を抽出するステップを更に含み、前記睡眠段階を分類するステップは、前記呼吸統計量に更に基づく、請求項３３又は３４に記載の方法。
（請求項３６）
前記呼吸統計量は、呼吸間隔の平均、呼吸振幅の平均、呼吸間隔の変動、及び呼吸振幅の変動のうちの１つ又は複数を更に含む、請求項３５に記載の方法。
（請求項３７）
前記抽出された特徴は、呼吸帯域のすぐ上の最高ウェーブレット詳細におけるパワー、及び近似係数におけるパワーのうちの１つ又は複数を含む、請求項３３乃至３６のいずれか一項に記載の方法。
（請求項３８）
前記生成されたマスクは、前記変換された信号の特定部分に対するノイズを示す、請求項３３又は３４に記載の方法。
（請求項３９）
前記生成されたマスクは、前記変換された信号のバイナリマップである、請求項３８に記載の方法。
（請求項４０）
前記分類するステップは、線形判別解析を含む、請求項３３乃至３９のいずれか一項に記載の方法。
（請求項４１）
分類された睡眠段階のパターンを検出するステップと、該検出されたパターンに基づいて誤った分類を補正するステップと、を更に含む、請求項３３乃至４０のいずれか一項に記載の方法。
（請求項４２）
分類された睡眠段階を表示するステップを更に含み、該睡眠段階は、一連の覚醒段階、浅い睡眠段階、深い睡眠段階、及びレム睡眠段階のうちの１つ又は複数を含む、請求項３３乃至４１のいずれか一項に記載の方法。
（請求項４３）
被験者の睡眠段階を分類するシステムであって、
体動及び呼吸関連運動に関連する複数の信号を検出するように構成された１つ又は複数のセンサと、
プロセッサであって、前記複数の信号を処理し、該複数の信号のうちの１つを処理のために選択し、該選択された信号をウェーブレット変換によって処理し、前記変換された信号に対応するマスクを生成し、該マスクに従って前記変換された信号から特徴を抽出し、該抽出された特徴に基づいて睡眠段階を分類するように構成されたプロセッサと、
を具備する、システム。
（請求項４４）
前記１つ又は複数のセンサのうちの少なくとも１つは非接触センサである、請求項４３に記載のシステム。
（請求項４５）
前記少なくとも１つの非接触センサは無線周波数ベースのセンサである、請求項４４に記載のシステム。
（請求項４６）
前記少なくとも１つの非接触無線周波数ベースのセンサは距離ゲート式である、請求項４５に記載のシステム。
（請求項４７）
呼吸治療装置を更に具備するシステムであって、該呼吸治療装置は、患者インタフェースに結合するように適合された流れ発生器と、該流れ発生器の治療動作を設定するように構成されたコントローラと、を備え、該コントローラは、前記プロセッサと通信し、前記決定した呼吸段階に部分的に基づいて、治療圧力を制御するように構成される、請求項４３乃至４６のいずれか一項に記載のシステム。
（請求項４８）
プロセッサによって実行される場合に、請求項３３乃至４２のいずれか一項に記載の方法をプロセッサが実行するのを可能にするように、プロセッサ制御命令が符号化されているコンピュータ可読媒体。